(57)【特許請求の範囲】
【請求項１】
（ａ）複数の支柱により互いに連結される複数の多角形支持リングを含有してなるメッシュ支持フレーム、及び
（ｂ）複数の生体適合性モザイクプレート
を含有してなり、
該多角形支持リングが該モザイクプレート内に位置決めされ、該支柱が隣接するプレート間に延在する、骨欠損に使用するためのモザイクインプラント。
【請求項２】
インプラントが、湾曲表面に一致する、請求項１に記載のモザイクインプラント。
【請求項３】
支持リング及びモザイクプレートの少なくとも一部が、六角形形状を有する、請求項１又は２に記載のモザイクインプラント。
【請求項４】
インプラントが、患者へのモザイクインプラントの取り付けを容易にする複数の締結ポイントを含む、請求項１から３の何れか一項に記載のモザイクインプラント。
【請求項５】
モザイクプレートが、互いに均等に離間される複数の同一六角形プレートからなる中央配列、及び該中央配列の周辺部の周りに配置されている第２の複数の非同一プレートを含む、請求項１から４の何れか一項に記載のモザイクインプラント。
【請求項６】
メッシュ支持フレームが、互いに離間関係にある多角形支持リングの反復パターンを含む、請求項１から５の何れか一項に記載のモザイクインプラント。
【請求項７】
支柱が、隣接する多角形支持リングの頂点間に延在する、請求項６に記載のモザイクインプラント。
【請求項８】
多角形支持リングの反復パターンの周辺部の少なくとも一部の周りに延在する外側縁部を更に含む、請求項６又は７に記載のモザイクインプラント。
【請求項９】
多角形支持リングが、六角平行多辺形を含む、請求項８に記載のモザイクインプラント。
【請求項１０】
インプラントが、インプラントの外周部から遠ざかるように延在する保持アームに設けられている保持アイレットを含む複数の締結ポイントを含む、請求項１から９の何れか一項に記載のモザイクインプラント。
【請求項１１】
保持アームが変形可能であり、インプラントの残部が剛性である、請求項１０に記載のモザイクインプラント。
【請求項１２】
支柱が、中央配列にある隣接する六角形プレートの頂点間に延在する、請求項５に記載のモザイクインプラント。
【請求項１３】
支持フレームが、支持フレームの周辺部の周りに延在する外側縁部を更に含む、請求項１２に記載のモザイクインプラント。
【請求項１４】
外側縁部が、複数の第２のプレートを通って延在する、請求項１３に記載のモザイクインプラント。
【請求項１５】
生体適合性モザイクプレートが、水硬性セメント組成物を含む、請求項１から１４の何れか一項に記載のモザイクインプラント。
【請求項１６】
生体適合性モザイクプレートが、少なくとも５５重量％のモネタイトを含むセメントを含む、請求項１５に記載のモザイクインプラント。
【請求項１７】
支柱及び多角形支持リングの側面が、相互連結されるワイヤセグメントの一体構造を構成し、更に、支柱及び多角形支持リングの側面を形成するワイヤセグメントの全てが、仮想平面基部に対して４５度を超える角度で斜めになっている、請求項１から１６の何れか一項に記載のモザイクインプラント。
【請求項１８】
請求項１〜１７の何れか一項に記載のインプラントセクションに使用される、メッシュ支持フレーム。
【請求項１９】
積層造形技術による、請求項１〜１７の何れか一項に記載のインプラントを製造する方法。
【発明の詳細な説明】
【技術分野】
【０００１】
関連出願の相互参照
本出願は、米国特許仮出願第６２／０３７，５９５号、２０１４年８月１４日出願、発明の名称「ＭＯＳＡＩＣ  ＩＭＰＬＡＮＴＳ、ＫＩＴＳ  ＡＮＤ  ＭＥＴＨＯＤＳ  ＦＯＲ  ＣＯＲＲＥＣＴＩＮＧ  ＢＯＮＥ  ＤＥＦＥＣＴＳ」の優先権を主張するものである。上記特許仮出願の開示は全て、参照により本明細書に組み込まれる。
【背景技術】
【０００２】
組織再生により適切に治癒することができない骨組織欠損は、多くの場合、自家骨格材料、非自家骨格材料、または合成骨格材料を使用して充填することができる。頭蓋または長骨の欠損等の大規模な欠損の場合、治癒は特に困難であり得る。その結果、新しい組織（例えば、骨）の構造支持を提供する金属メッシュまたは種々の多孔性セラミック材料を使用する種々の骨格戦略が開発されている。金属メッシュを単独で使用する多くの現行戦略は、骨新形成が低いこと、および／または感染症により問題となる場合がある。現在使用されている多くのセラミック材料は、機械的強度が低く壊れやすいため、骨格不良のリスクが高くなる。
【０００３】
金属メッシュの１つの利点は、欠損にぴったりと一致するように成形することができるということである。一方で、セラミック骨格は、典型的には、製造後に形状を変えることができないため、事前に個別製造しなければならない。金属メッシュでは骨内部成長が低いという問題を克服する試みとして、メッシュをヒドロキシルアパタイト粉末でコーティングすることが、特に関節置換の再置換術での使用に提案されている。
【０００４】
より最近の手法が、国際公開第２０１１／１１２１４５号パンフレット、発明の名称「Ｉｍｐｌａｎｔｓ  ａｎｄ  Ｍｅｔｈｏｄｓ  ｆｏｒ  Ｃｏｒｒｅｃｔｉｎｇ  Ｔｉｓｓｕｅ  Ｄｅｆｅｃｔｓ」、２０１１年９月１５日公開（以下、「’１４５出願」という）に記載されている。更なる手法は、国際公開第２０１４／１２５３８１号パンフレット、発明の名称「Ｍｏｓａｉｃ  Ｉｍｐｌａｎｔｓ，  Ｋｉｔｓ  ａｎｄ  Ｍｅｔｈｏｄｓ  ｆｏｒ  Ｃｏｒｒｅｃｔｉｎｇ  Ｂｏｎｅ  Ｄｅｆｅｃｔｓ」、２０１４年８月２１日公開（以下、「’３８１出願」という）に記載されている。上述の公開出願は、参照により本明細書に組み込まれる。’１４５出願および’３８１出願には、ワイヤ（例えば、ワイヤメッシュ）係留配置により連結されている複数の生体適合性モザイクプレートを含むモザイクインプラントが記載されている。
【０００５】
骨欠損を修正するための様々なデバイスおよび技術が存在している可能性はあるが、本明細書に記載されている発明をなし、使用したのは本発明者らが初めてであると考える。
【先行技術文献】
【特許文献】
【０００６】
【特許文献１】国際公開第２０１１／１１２１４５号パンフレット
【特許文献２】国際公開第２０１４／１２５３８１号パンフレット
【発明の概要】
【０００７】
本発明は、以下の（１）〜（４７）に関する。
（１）（ａ）複数の支柱により互いに連結される複数の多角形支持リングを含有してなるメッシュ支持フレーム、及び（ｂ）複数の生体適合性モザイクプレートを含有してなり、該多角形支持リングが該モザイクプレート内に位置決めされ、該支柱が隣接するプレート間に延在する、骨欠損に使用するためのモザイクインプラント。
（２）インプラントが、湾曲表面に一致する、前記（１）に記載のモザイクインプラント。
（３）支持リング及びモザイクプレートの少なくとも一部が、六角形形状を有する、前記（１）又は（２）に記載のモザイクインプラント。
（４）インプラントが、患者へのモザイクインプラントの取り付けを容易にする複数の締結ポイントを含む、前記（１）〜（３）の何れかに記載のモザイクインプラント。
（５）モザイクプレートが、互いに均等に離間される複数の同一六角形プレートからなる中央配列、及び該中央配列の周辺部の周りに配置されている第２の複数の非同一プレートを含む、前記（１）〜（４）の何れかに記載のモザイクインプラント。
（６）メッシュ支持フレームが、互いに離間関係にある多角形支持リングの反復パターンを含む、前記（１）〜（５）の何れかに記載のモザイクインプラント。
（７）支柱が、隣接する多角形支持リングの頂点間に延在する、前記（６）に記載のモザイクインプラント。
（８）多角形支持リングの反復パターンの周辺部の少なくとも一部の周りに延在する外側縁部を更に含む、前記（６）又は（７）に記載のモザイクインプラント
（９）多角形支持リングが、六角平行多辺形を含む、前記（８）に記載のモザイクインプラント。
（１０）インプラントが、インプラントの外周部から遠ざかるように延在する保持アームに設けられている保持アイレットを含む複数の締結ポイントを含む、前記（１）〜（９）の何れかに記載のモザイクインプラント。
（１１）保持アームが変形可能であり、インプラントの残部が剛性である、前記（１０）に記載のモザイクインプラント。
（１２）支柱が、中央配列にある隣接する六角形プレートの頂点間に延在する、前記（５）に記載のモザイクインプラント。
（１３）支持フレームが、支持フレームの周辺部の周りに延在する外側縁部を更に含む、前記（１２）に記載のモザイクインプラント。
（１４）外側縁部が、複数の第２のプレートを通って延在する、前記（１３）に記載のモザイクインプラント。
（１５）生体適合性モザイクプレートが、水硬性セメント組成物を含む、前記（１）〜（１４）の何れかに記載のモザイクインプラント。
（１６）生体適合性モザイクプレートが、少なくとも５５重量％のモネタイトを含むセメントを含む、前記（１５）に記載のモザイクインプラント。
（１７）支柱及び多角形支持リングの側面が、相互連結されるワイヤセグメントの一体構造を構成し、更に、支柱及び多角形支持リングの側面を形成するワイヤセグメントの全てが、仮想平面基部に対して４５度を超える角度で斜めになっている、前記（１）〜（１６）の何れかに記載のモザイクインプラント。
（１８）（ａ）前記（１）〜（１７）の何れかに記載のモザイクインプラントを提供すること、（ｂ）該インプラントを、患者の骨欠損の部位に位置決めすること、及び（ｃ）該インプラントを適所に固定することを含む、患者の骨欠損を修正するための方法。
（１９）前記（１）〜（１８）の何れかに記載のインプラントセクションに使用される、メッシュ支持フレーム。
（２０）積層造形技術による、前記（１）〜（１７）の何れかに記載のインプラントを製造する方法。
（２１）（ａ）上部表面及び底部表面を有する生体適合性プレート；並びに
（ｂ）−該プレート内に少なくとも部分的に位置する中央部分、
−該プレートが挿入される穿孔穴周囲の骨にインプラントを取り付けるように構成される複数の締結ポイントを有する多角形外側縁部、及び
−該中央部分と該外側縁部との間に延在する複数のアーム、
を有する支持フレームを含み、
複数のアームが、外側縁部から遠ざかるように内側及び下方に延在し、中央部分が、外側縁部の平面より下方に位置し、プレートの上部表面が、外側縁部の上部表面と同じ高さであるか又はわずかに上方にある、骨の穿孔穴を充填するためのインプラント。
（２２）外側縁部が、多角形リングを含み、生体適合性プレートの周辺部全体の周りに延在し、プレートが、その中心に位置する、前記（２１）に記載のインプラント。
（２３）外側縁部が、六角形リングを含む、前記（２２）に記載のインプラント。
（２４）締結ポイントが、それらを通して留め具を受容するように構成されている保持アイレットを含む、前記（２１）〜（２３）の何れかに記載のインプラント。
（２５）保持アイレットが、多角形外側縁部の頂端に位置する、前記（２４）に記載のインプラント。
（２６）生体適合性プレートが、円形の断面を有し、外側縁部に対して中心に位置する縦軸を有する、前記（２１）〜（２５）の何れかに記載のインプラント。
（２７）生体適合性プレートが先細化した円柱であり、該プレートの上部表面が底部表面よりも大きい、前記（２１）〜（２６）の何れかに記載のインプラント。
（２８）中央部分が内部リングを含み、複数のアームが該内部リングを外側縁部に連結する、前記（２１）〜（２７）の何れかに記載のインプラント。
（２９）中央部分が、内部リングから放射状に内側に延在しプレート内の中央接合部で互いに接合されている複数の内部支持部材を更に含む、前記（２８）に記載のインプラント。
（３０）支持フレームの中央部分の周りに生体適合性プレートを成型することにより、前記（２１）〜（２９）の何れかに記載のインプラントを製造することに使用するように構成される支持フレームであって、該支持フレームが、中央部分、多角形外側縁部、及び該中央部分と該外側縁部との間に延在する変形可能な複数のアームを含有してなり、生体適合性プレートを中央部分の周りに成型する前は、該支持フレームが、斜角で外側縁部から遠ざかるように内側に延在する複数のアームに対してほぼ平面であり、該支持フレームの中央部分が外側縁部に対して下方に付勢されると、中央部分が回転し外側縁部に対して下方に進み、中央部分が外側縁部の平面より下に位置する、支持フレーム。
（３１）変形可能な複数のアームの各々に関連する少なくとも１つの変形帯を含む、前記（３０）に記載の支持フレーム。
（３２）変形帯が、関連する変形可能なアームに隣接する外側縁部上の幅低減領域からなる、前記（３１）に記載の支持フレーム。
（３３）外側縁部が、中央部分の周辺部全体の周りに延在し、中心縦軸を有する多角形リングからなり、該中央部分が多角形リング内の中心にあり、更に、支持フレームが、該中央部分が外側縁部に対して下方に付勢されると、下方に付勢されると共に中央部分が外側縁部の縦軸で回転し、中央部分が外側縁部に対して依然として中心に位置するように、構成される、前記（３０）〜（３２）の何れかに記載の支持フレーム。
（３４）支持フレームの一部の周りに生体適合性プレートを成型することにより、骨の穿孔穴を充填するためのインプラントを製造することに使用するように構成される支持フレームであって、該支持フレームが、（ａ）中央部分、（ｂ）形成されるインプラントのプレート部分が挿入される穿孔穴の周囲の骨に該支持フレームを取り付けるように構成される複数の締結ポイントを有する外側縁部、及び（ｃ）該中央部分と該外側縁部との間に延在する変形可能な複数のアームを含有してなり、該変形可能な複数のアームが斜角で外側縁部から遠ざかるように内側に延在し、該支持フレームの中央部分が外側縁部に対して下方に付勢されると、中央部分が回転し外側縁部に対して下方に進む、支持フレーム。
（３５）外側縁部が、中央部分の周辺部全体の周りに延在する、前記（３４）に記載の支持フレーム。
（３６）外側縁部が縦軸を有する円形リング又は多角形リングを含み、中央部分がその中心に位置する、前記（３５）に記載の支持フレーム。
（３７）外側縁部が、六角形リングを含む、前記（３６）に記載の支持フレーム。
（３８）締結ポイントが、それらを通して留め具を受容するように構成される保持アイレットを含む、前記（３４）〜（３７）の何れかに記載の支持フレーム。
（３９）外側縁部が多角形の形状であり、保持アイレットがその頂端に位置する、前記（３８）に記載の支持フレーム。
（４０）変形可能な複数のアームの各々に関連する少なくとも１つの変形帯を更に含む、前記（３４）〜（３９）の何れかに記載の支持フレーム。
（４１）変形帯が、関連する変形可能なアームに隣接する外側縁部上の幅低減領域からなる、前記（４０）に記載の支持フレーム。
（４２）中央部分が外側縁部に対して中心に位置し、更に、支持フレームが、該中央部分が外側縁部に対して下方に付勢されると、下方に付勢されると共に中央部分が外側縁部の縦軸で回転し、中央部分が外側縁部に対して依然として中心に位置するように構成される、前記（３４）〜（４１）の何れかに記載の支持フレーム。
（４３）中央部分が内部リングを含み、変形可能な複数のアームが該内部リングを外側縁部に連結する、前記（３４）〜（４２）の何れかに記載の支持フレーム。
（４４）中央部分が、内部リングから放射状に内側に延在し内部リング内の中央接合部で互いに接合されている複数の内部支持部材を更に含む、前記（４３）に記載の支持フレーム。
（４５）前記（３４）〜（４４）の何れかに記載の支持フレーム、及び該支持フレームの中央部分の周りに成型される生体適合性プレートを含む、骨の穿孔穴を充填するためのインプラント。
（４６）生体適合性プレートが上部表面及び底部表面を有する先細化された円柱であり、該プレートの上部表面が底部表面よりも大きく、該プレートの上部表面が支持フレームの外側縁部の上部表面と同じ高さであるか又はわずかに上方にある、前記（４５）に記載のインプラント。
（４７）（ａ）生体適合性プレートを形成する前に、支持フレームの中央部分を外側縁部に対して下方に付勢して、該中央部分を回転させて外側縁部に対して下方に進め、中央部分を外側縁部の平面より下に位置させることにより、支持フレームをほぼ平面の形態から変形させるステップ、及び（ｂ）その後、該支持フレームの中央部分の周りに生体適合性プレート形成するステップ、を含有してなる、前記（２１）〜（２９）、（４５）又は（４６）の何れかに記載のインプラントを形成するための方法。
本明細書は、本発明を特定し、明確に特許請求する特許請求の範囲で締めくくられているが、本発明は、添付の図面を参照して以下のある例の説明を読むと、より良好に理解されるだろうと考えられる。図面では、類似の数字は、幾つかの図の全体にわたって類似要素を表している。
【図面の簡単な説明】
【０００８】
【図１】図１は、インプラントセクションの１つの実施形態の上面平面図を示す。モザイクプレートの一部は、ワイヤメッシュ支持フレームの更なる態様を示すために取り除かれており、更に、図１のインプラントセクションは、インプラントセクションの幅が、中央部分で最も広くなるように先細化されている。
【０００９】
【図２】図２は、図１のインプラントセクションで製作したインプラント、ならびにインプラントが患者の頭蓋の欠損領域一帯に模擬的に固定されている、図１のインプラントセクションの改変型を示す図である。
【００１０】
【図２Ａ】図２Ａは、図２に示されている図の一部を拡大した図を示す。
【００１１】
【図３】図３は、３−３線に沿って切り取った、図１のインプラントセクションの断面図を示す。
【００１２】
【図４】図４は、図１に示されているインプラントセクションのワイヤメッシュ支持フレームの上面平面図を示す。
【００１３】
【図５】図５は、図１のインプラントセクションを形成するのに好適な金型の透視図を示す。
【００１４】
【図６】図６は、図５の金型の一部を拡大した図を示す。
【００１５】
【図７】図７は、図５の金型を形成するのに好適なネガ金型の透視図を示す。
【００１６】
【図８Ａ】図８Ａは、患者の頭蓋骨に移植されたインプラントを示す模式的断面図を示す。
【００１７】
【図８Ｂ】図８Ｂは、図８Ａと同様の模式的断面図を示す。代替的実施形態では、図８Ａの中央インプラントセクション（７１０Ｂ）の代わりに、インプラントセクション（７１０Ｄ）が使用されている。
【００１８】
【図９】図９は、図８Ｂのインプラントセクション（７１０Ｄ）の断面図を示す。この断面図は、図３の断面図と同様に（つまり、インプラントセクションの幅方向に）切り取られている。
【００１９】
【図１０】図１０は、患者の頬（ほお）骨の欠損を覆うように位置決めされているモザイクインプラント（８１０）、および患者の下顎（あご）の欠損を覆うように位置決めされている第２のモザイクインプラント（８１１）を示す図を示す。
【００２０】
【図１１】図１１は、例えば頭蓋骨の穿孔穴インプラントとしての使用に好適なインプラントの代替的実施形態の透視図を示す。
【００２１】
【図１２】図１２は、図１１の実施形態の上面平面図を示す。支持フレームの中央部分は、点線で示されている。
【００２２】
【図１３】図１３は、図１１の実施形態の側面図を示す。
【００２３】
【図１４】図１４は、支持フレームの外側縁部および内部リングを連結するワイヤアームを、支持フレームが実質的に平面になるように変形させる前の、図１１のインプラントで使用される支持フレームの透視図である。
【００２４】
【図１５】図１５は、図１４と同様の透視図である。支持フレームの中央部分は、外側縁部に連結するワイヤアームが変形し、内部リングが回転して、図１４と比較して下方に移動するように、下方に付勢されている。
【００２５】
【図１６】図１６は、図１４の支持フレームの上面平面図である。
【００２６】
【図１７】図１７は、図１５の支持フレームの上面平面図を示す。
【００２７】
【図１８】図１８は、図１６の支持フレームの一部を拡大した図を示す。
【００２８】
【図１９】図１９は、図２３の支持フレームの一部を拡大した図を示す。
【００２９】
【図２０】図２０は、例えば頭蓋骨の穿孔穴インプラントとしての使用に好適なインプラントの支持フレームの代替的実施形態の上面平面図を示す。
【００３０】
【図２１】図２１は、例えば頭蓋骨の穿孔穴インプラントとしての使用に好適なインプラントの支持フレームの更なる別の代替的実施形態の上面平面図を示す。
【００３１】
【図２２】図２２は、図２１のインプラントの一部を拡大した図を示す。
【００３２】
【図２３】図２３は、図１１のインプラントの側面図を示す。外側縁部の一部は曲げられている。
【００３３】
【図２４】図２４は、図２３のインプラントの上面図を示す。
【００３４】
【図２５】図２５は、骨欠損を修正するためのインプラントの支持フレームの更に別の実施形態の模式的上面平面図を示す。最終インプラントのモザイクプレートの位置は、点線で示されている。
【００３５】
【図２６】図２６は、図２５の支持フレームを使用したモザイクインプラントの部分断面図を示す。
【００３６】
【図２７】図２７は、代替的配置のモザイクプレートを有するモザイクインプラントの模式的上面平面図を示す。
【００３７】
【図２８】図２８は、代替的配置のモザイクプレートを有するモザイクインプラントの他の態様の模式的上面平面図を示す。
【００３８】
【図２９】図２９は、図２５に示されているものより、その周辺部の周りがより可撓性である支持フレームを使用したモザイクインプラントの更なる実施形態の部分断面図を示す。
【００３９】
【図３０】図３０は、骨欠損を修正するためのインプラントの支持フレームの別の実施形態の模式的上面平面図を示す。支持フレームは、図２５に示されているものと比較して改変されている。
【００４０】
【図３１】図３１は、骨欠損を修正するためのインプラントの支持フレームの更なる実施形態の模式的上面平面図を示す。支持フレームは、図２５および図２９に示されているものと比較して改変されている。
【００４１】
【図３２】図３２は、図２５に示されているものより、その周辺部の周りがより可撓性である支持フレームを使用したモザイクインプラントの更なる実施形態の部分断面図を示す。
【００４２】
【図３３】図３３は、メッシュ支持フレームの内部支持構造の代替的設計の模式図を示す。
【００４３】
【図３４】図３４は、モザイクインプラントの支持フレームの別の実施形態の一部の透視図を示す。
【００４４】
【図３５】図３５は、モザイクインプラントの支持フレームの更に別の実施形態の透視図を示す。支持フレームは、積層造形法により製作されており、特定の患者の骨欠損（この場合は、頭蓋欠損）用に設計されている湾曲を有する個別化モザイクインプラントを生産するために、図示されているような湾曲構成で製作されている。
【００４５】
【図３６】図３６は、図３５の支持フレームが組み込まれているインプラントの一部の上面平面模式図を示す。支持フレームの内部支持リングに対するモザイクプレートの向きが示されている。
【００４６】
【図３７】図３７は、図３５の支持フレームの一部の透視図を示す。
【００４７】
【図３８】図３８は、患者の骨欠損内に位置決めされている、図３５の支持フレームを使用して製作されたモザイクインプラントの透視図を示す。最外側モザイクプレートの１つは、下部構造を示すために取り除かれている。
【００４８】
【図３９】図３９は、セメントコーティングを有するか、またはセメントコーティングで被覆されるように構成されている支持フレームの一部の種々の実施形態を示す図を示す。
【００４９】
【図４０】図４０は、セメントコーティングを有するか、またはセメントコーティングで被覆されるように構成されている支持フレームの一部の種々の実施形態を示す図を示す。
【００５０】
【図４１】図４１は、セメントコーティングを有するか、またはセメントコーティングで被覆されるように構成されている支持フレームの一部の種々の実施形態を示す図を示す。
【００５１】
【図４２】図４２は、セメントコーティングを有するか、またはセメントコーティングで被覆されるように構成されている支持フレームの一部の種々の実施形態を示す図を示す。
【００５２】
【図４３】図４３は、セメントコーティングを有するか、またはセメントコーティングで被覆されるように構成されている支持フレームの一部の種々の実施形態を示す図を示す。
【００５３】
【図４４】図４４は、個別化された剛性モザイクインプラントの別の実施形態の上面透視図を示す。
【００５４】
【図４５】図４５は、図４４のインプラントの底面透視図を示す。
【００５５】
【図４６】図４６は、頭蓋骨の骨欠損に移植されている図４４のインプラントの模式図を示す。
【００５６】
【図４７】図４７は、図４４のインプラントの支持フレームを示す図を示す。幾つかのモザイクプレートは、半透明で示されている。
【００５７】
【図４８】図４８は、図４４と同じ図である。モザイクプレートは、半透明で示されている。
【００５８】
【図４９】図４９は、図４４のインプラントの側面図を示す。モザイクプレートの一部は取り除かれている。
【００５９】
【図５０】図５０は、図４４のインプラントで使用されているメッシュ支持フレームの上面平面図を示す。保持アームおよび保持アイレットは省かれている。
【００６０】
【図５１】図５１は、図５０の支持フレームの一部の拡大上面平面図を示す。
【００６１】
【図５２】図５２は、図４４のインプラントの一部の拡大上面図を示す。モザイクプレートは、半透明で示されている。
【００６２】
【図５３】図５３は、図４４に示されているものと類似したインプラントを形成するために使用される金型の上面図を示す。
【００６３】
【図５４】図５４は、図５３に示されている金型の一部を拡大した図を示す。
【発明を実施するための形態】
【００６４】
図面は、いかなる点でも限定を意図するものでない。本発明の種々の実施形態は、必ずしも図面に示されていないものを含む様々な他の様式で実施することができることが企図されている。本明細書に組み込まれており、その一部を形成する添付の図面は、本発明の幾つかの態様を示し、本明細書と共に本発明の原理を説明するためのものであるが、本発明は、図示されているそうした配置のみに限定されないことを理解されたい。
【００６５】
ある例の以下の説明は、本発明の範囲を限定するために使用されるべきでない。本明細書で開示されている形態の他の特徴、態様、および利点は、当業者であれば、以下の説明から明白になるだろう。当然のことながら、本明細書に記載されている形態はいずれも、本発明から逸脱することなく、他の異なる自明な態様が可能である。したがって、本図面および本明細書は、例示的な性質のものであり、限定を目的とするものではないとみなされるべきである。
【００６６】
本明細書に記載の例は、頭蓋形成術で使用されるインプラント等の、種々の骨欠損の修正に使用されるインプラントに関する。幾つかの実施形態では、インプラントは、隣接するプレート間に延在する複数のワイヤにより互いに相互連結されている複数の生体適合性モザイクプレートを含む。他の実施形態は、例えば頭蓋骨の穿孔穴インプラントとして使用されるインプラントを含み、したがって、インプラントを穿孔穴に固定するための支持フレームを有する単一の生体適合性プレートを含む。また、本明細書に記載のインプラントの実施形態は、それらを通して留め具（例えば、骨ネジ）を欠損周囲の骨に打ち込むことができるインプラントの周辺部の周りに位置する複数のアイレット等の保持特徴を含む。
【００６７】
幾つかの場合、インプラントは、インプラントを種々のサイズに切断しても、保持特徴が依然としてインプラントの周辺部の周りに提供され得るように構成されている。この様式では、隣接するプレート間に延在する複数のワイヤにより互いに相互連結されている複数の生体適合性モザイクプレートを含むインプラントは、所定の構成に製作されており、特定の患者の欠損に特異的ではない。その後、インプラントは、特定の患者の必要性に応じたサイズおよび形状にされる（例えば、欠損の形状に応じた湾曲形状に変形される、および／またはそのようなサイズにあわせて切断される）。他の実施形態では、インプラントは、インプラントを形成するために互いに連結されている２つ以上のインプラントセクションを含む。
【００６８】
代替的な実施形態では、患者にすぐ移植することができるインプラントは、単一セクションの相互連結モザイクプレートを含み、患者の必要性に応じて個別化製作されている。こうした実施形態では、移植する前にインプラントを改変（例えば、切断および／または変形）する必要はほとんどないかまたは全くない。そのようなインプラントは、剛性構造として製作され、幾つかの実施形態では、インプラントの少なくとも一部は、湾曲表面（例えば、球状表面、楕円状表面、円柱状表面等）を含む。この様式では、例えば、モザイクプレートの上部表面および下部表面は、概して曲線表面を有する（隣接するプレート間に小さな間隙がある）ように製作することができる。インプラントは、製作時に成形されるため、患者に移植する直前に（例えば、手術室中に）インプラントを成形する必要性が回避される。
【００６９】
穿孔穴等に使用するために構成されているインプラントの場合、幾つかの実施形態では、支持フレームの外部部分（つまり、生体適合性プレート内に位置していない部分）は、穿孔穴周囲の患者の骨の形状と一致させるために調整することができる（例えば、曲げるか、またはそうでなければ変形させることができる）。
【００７０】
本明細書で使用される場合、用語「ワイヤ」は、断面形状に関わらず、その幅および厚さと比べて長さが比較的長い、紐、棒、支柱、または類似の構造を指す。例えば、「ワイヤ」は、本明細書で使用される場合、円形の、卵形の、矩形の、または他の断面形状を有していてもよい。本明細書に記載の実施形態の幾つかでは、インプラントのワイヤの幾つかは、それらの全長にわたって一定の幅および／または厚さを有しておらず、形状が不規則な区画または領域を有していてもよい。例えば、幾つかのワイヤは、ワイヤの有効長を延長または短縮することを可能にするひだ状のまたはけん縮されている区画を有していてもよく、他のワイヤは、可撓性がより高い領域を提供するために幅および／または厚さが低減された区画を有する。他の実施形態では、１つまたは複数のワイヤは、より高い剛性および／または支持をインプラントに提供するために、幅および／または厚さが増加された区画を有する。個々のワイヤは、単一の連続した構造の形態であってもよく、または複数の個々の糸または紐を組み合わせて（例えば、巻き付けまたは編み込みで）ワイヤを形成してもよい。
【００７１】
ワイヤは、種々の金属、ポリマー、または更に２つ以上の金属および／もしくはポリマーの複合材料等の、患者への移植に好適な様々な生体適合性材料のいずれによっても製作することができる。非限定的な例としては、ポリカプロラクトン等の生体適合性ポリマー、ニチノール等の形状記憶合金、チタン、チタン合金（例えば、Ｔｉ−６Ａｌ−４Ｖ）、およびステンレス鋼が挙げられる。また、ワイヤは、鍛造、鋳込み、成型、押し出し、切断、エッチング、打ち抜き、および選択的レーザ融解または選択的レーザ焼結等の積層造形技術等の、様々な様式のいずれで形成してもよい。本明細書に更に記載されているある実施形態では、モザイクプレートを相互連結するワイヤは、その周辺部の少なくとも一部の周りに延在するワイヤ縁部を有する連結ワイヤの一体型メッシュを生産するために、所定のパターンに打ち抜きまたは（例えば、自動レーザ切断デバイスを使用して）切断された金属シート（例えば、チタンまたはチタン合金）から形成される。
【００７２】
図１には、’３８１出願に更に記載されているような、例示的なモザイクインプラントセクション（２１０）が示されている。インプラントセクション（２１０）は、哺乳類（ヒト患者を含む）の骨欠損および他の組織欠損を修復するために、単独で使用しても、またはもう１つの同様に構成されているインプラントセクション（１０、１１０、２２０）（図２を参照）と組み合わせて使用してもいずれでもよく、移植直前に変形可能である。例えば、’３８１出願に記載されているように、同一セクションまたは異なるセクションの任意の組み合わせのいずれでもよい、モザイクインプラントセクション（１０、１１０、２１０）の２つ以上を、一緒に連結して単一のインプラントを提供してもよい。任意の数のモザイクインプラントセクションの形状およびサイズを提供することができ、図示されている３つは、３つの考え得る構成の例示に過ぎない。
【００７３】
単独で使用するか、または互いに連結されている２つ以上のインプラントセクションの組み合わせで使用するかに関わらず、得られるモザイクインプラントは、患者の骨欠損の湾曲形状と一致させるために、種々の湾曲形状に適合させることができる。１つの実施形態では、形状、サイズ、および／または構成が異なる複数のモザイクインプラントセクション（１０、１１０、２１０）を、キットの形態等で提供することにより、２つ以上のインプラントセクションを選択して共に連結し、特定の患者に応じたサイズおよび構成にするインプラントを提供することができる。例えば、その結果として得られる、モザイクインプラントセクション（１０、１１０、２１０）を２つ以上含むインプラントは、特定の患者の頭蓋欠損と、サイズ、形状（例えば、外周形状）、および幾つかの場合では湾曲が一致するように構成することができる。他の場合では、必要に応じてサイズおよび形状が切断されていてもよい単一のインプラントセクション（１０、１１０、２１０）は、患者の比較的小さな欠損に好適であろう。
【００７４】
１つの特定の例として、図２には、非常に大きな欠損を有する頭蓋骨に移植される例示的なモザイクインプラント（４００）が示されている。この例では、頭蓋骨の大部分が、例えば外傷の結果として欠損している。モザイクインプラント（４００）は、それらの隣辺に沿って共に連結されている５つのインプラントセクション（１０、１１０、２１０）を含む。また、インプラントセクションの各々は、長さが切り揃えられている。この様式では、インプラント（４００）は、患者の骨欠損に応じたサイズおよび形状にされている。また、図２に示されているように、インプラント（４００）は、概して、患者の頭蓋の欠失部分の典型的な形状に対応する湾曲表面と一致するように成形されている。言い換えれば、インプラント（４００）は、患者の頭蓋形状と一致するように成形されている（つまり、変形されている）。そのように成形することにより、骨内部成長およびインプラント再吸収時に十分な頭蓋容積の確実な維持を支援するだけでなく、美容的に好ましい外観も提供する。
【００７５】
インプラント（４００）は、縫合糸、プレート、ネジ、クランプ、および／または様々な他の留め具もしくは固定デバイスのいずれかにより宿主組織（例えば、患者の欠損の周囲の周りの頭蓋骨）に取り付けることができる。図２では、インプラント（４００）は、本明細書で更に記載されているように、インプラントセクション（１０、１１０、２１０）の周辺部の一部に沿って位置する保持アイレット（４０、１４０、２４０）から挿入した複数のネジ（例えば、チタン骨ネジ）を使用して周囲頭蓋骨に取り付けられている。
【００７６】
図１に戻ると、インプラントセクション（２１０）は、複数のワイヤ（２１４）により互いに相互連結されている複数の生体適合性モザイクプレート（２１２）を含む。各モザイクプレート（２１２）は、隣接して連結されているプレート（２１２）間にまたはプレート（２１２）内に延在するワイヤ（２１４）により、直接隣接する複数のモザイクプレートと連結されている。一般的に、各プレート（２１２）（またはインプラントセクションのプレートの少なくとも大半）は、ワイヤ（２１４）により、２つ以上の隣接するプレートと連結されている。
【００７７】
ワイヤ（２１４）は、別々の交差せず連結されていないワイヤが隣接するプレート間に延在するように構成されていてもよい。他の実施形態では、ワイヤ（２１４）は、’１４５出願に記載されているように、互いに連結されていてもよくまたはされていなくともよい交差ワイヤの配置を含む。更なる別の実施形態では、図１に示されているように、ワイヤ（２１４）は、ワイヤメッシュを提供するように保持アイレット（２４０）により互いに接続されているワイヤセグメントの形態のワイヤ（２１４）を供給するために、平板を切断（例えば、レーザ切断）、エッチング、または打ち抜くこと等により、互いに一体的に形成されている。本明細書で使用される場合、「メッシュ」は、少なくとも２つの交差ワイヤが、それらの交点の１つ、幾つか、または全てで接合されているか、またはワイヤセグメント（例えば、ワイヤ（２１４））が、（例えば、開口領域が隣接するワイヤ間に配置され、隣接するワイヤにより画定されるようなアイレット（２４０）を介して）互いに接合されている、配置を含む。図４に示されている実施形態では、隣接するワイヤ（２１４）間で画定されている開口領域は、平行四辺形の形状を有する。しかしながら、本明細書で更に記載されているような様々な他のメッシュ配置のいずれを使用してもよいことが理解されるだろう。
【００７８】
生体適合性モザイクプレート（２１２）は、種々のタイプのポリマー、セラミック、および金属および／またはそれらの組み合わせを含む、様々な再吸収性および／または安定性（つまり、非再吸収性）生体適合性材料のいずれで構成されていてもよい。幾つかの実施形態では、プレートは、骨伝導性材料および／または骨誘導性材料で構成されている。骨伝導性材料は、プレート（２１２）の表面に新しい骨が形成されるように、骨細胞が結合、遊走、および成長、および分裂することになる骨格としての役目を果たす。骨誘導性材料は、プレート（２１２）周囲で骨新形成を誘導する。隣接するプレート間にギャップが提供されるようにプレート（２１２）が配置されている本明細書に記載の実施形態では、ギャップによりプレート間の自由な血液循環および組織液循環が可能になるため、骨伝導性および／または骨誘導性モザイクプレートは、インプラントのプレート上のおよびプレート間の骨成長を促進することになる。
【００７９】
幾つかの実施形態では、生体適合性モザイクプレート（２１２）は、成型可能なバイオセラミックまたは生体高分子材料で構成されている。バイオセラミック材料は、セラミック粉末を焼結することにより生産することできるが、この方式では複雑な形状を作り出すことが難しい場合がある。あるいは、バイオセラミックは、セラミック材料がセメント固化および硬化反応等の化学反応により形成される化学結合経路で形成することができる。
【００８０】
本発明の幾つかの実施形態では、生体適合性プレートを成型するために、水硬性セメント組成物が使用される。非限定的な例としては、硫酸カルシウム、リン酸カルシウム、ケイ酸カルシウム、炭酸カルシウム、およびそれらの組み合わせ等の１つまたは複数のＣａ塩を含むセメント前駆体組成物が挙げられる。本明細書で更に記載されているように、生体適合性プレートは、セメント組成物をワイヤ（２１４）の一部の周囲に成型することにより形成される。例えば、粉末セメント前駆体組成物は、非水性水混和性液体、または水および非水性水混和性液体の混合物のいずれかと混合される。その後、ワイヤ（２１４）がその中に位置決めされている金型に混合物を注ぐかまたは注入して、複数のワイヤ（２１４）により互いに相互連結されたモザイクプレート（２１２）が形成されるように（例えば、水含有浴中で）硬化させる。
【００８１】
成型モザイクプレート（２１０）に使用することができる種々のセメント組成物は、例えば、国際公開第２０１４／０９１４６９号パンフレット、２０１４年６月１９日公開、発明の名称「Ｃｅｍｅｎｔ−Ｆｏｒｍｉｎｇ  Ｃｏｍｐｏｓｉｔｉｏｎｓ，Ｍｏｎｅｔｉｔｅ  Ｃｅｍｅｎｔｓ，Ｉｍｐｌａｎｔｓ  ａｎｄ  Ｍｅｔｈｏｄｓ  ｆｏｒ  Ｃｏｒｒｅｃｔｉｎｇ  Ｂｏｎｅ  Ｄｅｆｅｃｔｓ」に記載されている。保管安定性の事前混合水硬性セメント組成物を含む、プレートの成型に使用される代替的なセメント組成物は、国際公開第２０１３／０３５０８３号パンフレット、２０１３年３月１４日公開、発明の名称「Ｓｔｏｒａｇｅ  Ｓｔａｂｌｅ  Ｐｒｅｍｉｘｅｄ  Ｈｙｄｒａｕｌｉｃ  Ｃｅｍｅｎｔ  Ｃｏｍｐｏｓｉｔｉｏｎｓ，Ｃｅｍｅｎｔｓ，Ｍｅｔｈｏｄｓ，ａｎｄ  Ａｒｔｉｃｌｅｓ」に記載されている。プレート（１２、１１２、２１２）を成型するために使用することができる更なるセメント組成物は、例えば、’１４５出願、ならびに国際公開第２０１３／０２７１７５号パンフレット、２０１３年２月２８日公開、発明の名称「Ｉｍｐｌａｎｔｓ  ａｎｄ  Ｍｅｔｈｏｄｓ  ｆｏｒ  Ｕｓｉｎｇ  ｔｈｅ  Ｉｍｐｌａｎｔｓ  ｔｏ  Ｆｉｌｌ  Ｈｏｌｅｓ  ｉｎ  Ｂｏｎｅ  Ｔｉｓｓｕｅ」および国際公開第２０１０／０５５４８３号パンフレット、２０１０年５月２０日公開、発明の名称「Ｈｙｄｒａｕｌｉｃ  Ｃｅｍｅｎｔｓ，Ｍｅｔｈｏｄｓ  ａｎｄ  Ｐｒｏｄｕｃｔｓ」に記載されている。上述の特許出願および公開の各々は、参照により本明細書に組み込まれる。
【００８２】
１つの実施形態では、組成物は、モネタイト形成カルシウム系前駆体粉末および非水性水混和性液体を含むリン酸カルシウムセメント成形組成物である。１つの特定の実施形態では、モネタイト形成カルシウム系前駆体粉末は、４０：６０〜６０：４０の重量比のリン酸一カルシウム（リン酸一カルシウム一水和物（ＭＣＰＭ）および／または無水リン酸一カルシウム（ＭＣＰＡ））およびβ−リン酸三カルシウム、および前駆体粉末の重量に基づき２重量％から３０重量％までのピロリン酸二カルシウム粉末（本明細書では、ピロリン酸カルシウムとも呼ばれる）を含む。組成物中の粉末対液体（重量／容積）比は、２ｇ／ｍｌから６ｇ／ｍｌまでである。
【００８３】
別の実施形態では、組成物は、モネタイト形成カルシウム系前駆体粉末を含み、水性液体と混合されるかまたは水性液体と接触すると硬化が達成されるように構成されているリン酸カルシウムセメント成形組成物である。１つの特定の実施形態では、モネタイト形成カルシウム系前駆体粉末は、４０：６０〜６０：４０の重量比のリン酸一カルシウム（リン酸一カルシウム一水和物（ＭＣＰＭ）および／または無水リン酸一カルシウム（ＭＣＰＡ））およびβ−リン酸三カルシウム、および前駆体粉末の重量に基づき２重量％から３０重量％までのピロリン酸二カルシウム粉末（本明細書では、ピロリン酸カルシウムとも呼ばれる）を含む。
【００８４】
また、成型プレート（２１２）の多孔度は、ｉｎ  ｖｉｖｏでの骨内部成長および再吸収時間に影響を及ぼすため、制御してもよい。例えば、多孔度は、前駆体組成物中のリン酸一カルシウムの粒径を制御することにより、および／または前駆体組成物に１つまたは複数のポロゲンを添加することにより、制御することができる。幾つかの実施形態では、成型プレートは、４０％から５０％までの多孔度を有し、他の実施形態では、多孔度は約４６％である。
【００８５】
１つの特定の実施形態では、モネタイト形成カルシウム系前駆体粉末混合物は、任意で最大２０％の水（総液体容積に基づく）を含む、グリセロール等の、非水性水混和性液体と混合される。混合した後、その中にワイヤ（２１４）が位置決めされており、各ワイヤの部分が、モザイクプレート（２１２）を形成するように成形されている金型キャビティ内および金型キャビティ間に延在している金型に前駆体混合物を注入する。その後、金型を水浴に入れること等により、充填した金型を水と接触させ、セメントを硬化させる（例えば、室温水浴で２４時間）。その後、インプラントセクション（２１０）を金型から取り出す。必要に応じて、インプラントセクションを水に浸漬してグリセロール残渣を除去する等の更なる処理を実施してもよい。
【００８６】
上記に記載の例で上述のように形成したモザイクプレート（２１２）は、モネタイト（ＣａＨＰＯ４）および２〜３０重量％のピロリン酸二カルシウム、ならびにβ−リン酸三カルシウム等の様々な量の他の物質および微量のブルシャイト（ＣａＨＰＯ４・２Ｈ２Ｏ）（例えば、２重量％未満または１重量％未満）を含むことになる。幾つかの実施形態では、モザイクプレート（２１２）は、少なくとも６５重量％、少なくとも７０％、少なくとも７５％、少なくとも８０％、少なくとも８５％、または少なくとも９０％のモネタイトを含む。ピロリン酸二カルシウムの存在は、モザイクプレートの再吸収を遅らせるだけでなく、骨誘導性も提供する（つまり、ピロリン酸二カルシウムを含まない同様のモネタイト調製物と比較して、モザイクプレート周囲のおよびモザイクプレート間の新骨成長を促進する）。
【００８７】
各モザイクプレート（２１２）は、三角形、円形、正方形、矩形、五角形、六角形、または他の多角形等の、様々な形状のいずれを有していてもよい。各プレートの形状は、規則的（例えば、長さが等しい辺を有する五角形または六角形）であってもよく、または不規則的であってもよい。加えて、インプラントセクション（２１０）のプレート（２１２）は、規則的および／または不規則的な同じまたは異なる形状を有していてもよい。幾つかの実施形態では、プレート（２１２）は、同一の形状（例えば、正六角形、正方形、または矩形）を有しており、プレートの各側縁端が、直接隣接するプレートの縁端から同じ（またはほとんど同じ）距離で離間され、隣接プレート間に一定のギャップがもたらされるようなパターンで配置されている。他の例では、理由の如何を問わず（例えば、支持構造を収納するため）、隣接プレート間のギャップがより大きくなっている、インプラントセクション（２１０）の領域が存在していてもよい。インプラントセクションのモザイクプレートの全てが同一の形状を有している訳ではない場合は、そうであっても、隣接するプレートは、プレートが重ならず、隣接プレート縁端間のギャップが実質的に等しくなるようなパターンにプレートが配置されるように、相補的な形状を有することができる。図１に示されている特定の実施形態では、インプラントセクション（２１０）は、六角形（２１２Ａ）および五角形のプレート（２１２Ｂ）を含む。
【００８８】
ワイヤ縁部（２３０）は、インプラントセクション（２１０）の周辺部全体の周りに延在し、縁部（２３０）と外側プレート（２１２Ｂ）との間に（ならびに縁部と支持ガーダの端部との間）に延在するワイヤ支柱（２３２）により、プレート（２１２Ｂ）ならびに支持ガーダ（２５０）に連結されている。
【００８９】
モザイクプレート（２１２）は、様々なサイズのいずれのサイズで提供されていてもよい。図３の断面図に示されているように、モザイクプレートの側壁は、プレートが底部表面よりも上部表面でより幅が広くなるように傾斜または先細化されていてもよい。あるいは、この傾斜または先細化は、プレートの中心を通る断面で、または上部表面と底部表面との間のある他の位置でプレートが最も幅が広くなるように、モザイクプレートの側壁を上部表面および底部表面の両方から先細化する等、様々な他の様式で構成されていてもよい。側壁を傾斜または先細化することにより、製作時または外科医等による後の変形によって、インプラントセクションを、種々の湾曲に形作ることができ、隣接するモザイクプレートの縁端を互いに接触させずに、垂直で先細化されていない側壁で可能になるよりも深くインプラントの底部表面を凹ませることができる。良好な美的結果を得るために、プレートの十分な強度を維持しつつ、厚さＴＴをできるだけ小さくする。インプラントを特定の欠損に調整する際、厚さＴＴは、インプラントの密着性を向上させ、美的外観を向上させるために（例えば、骨周囲の表面とインプラント上部表面との段差が低減され滑らかになるように）、研磨または他の材料除去プロセスにより、特にインプラントの周辺部に沿って低減させることができる。
【００９０】
幾つかの実施形態では、プレートの隣接する縁端間のギャップは、プレートの底部表面では、３ｍｍ未満、２ｍｍ未満、または１．２ｍｍ未満である。プレートの隣接する縁端間のギャップは、プレートの上部表面では、２ｍｍ未満、または１．４ｍｍ未満、または０．８ｍｍ未満である。ギャップをより狭くすると、新骨成長によるギャップの充填が促進される。インプラントが、実質的に平坦となることになる領域ならびに種々の湾曲および形状に変形されることになる他の領域を有することが意図されている場合、キャビティ間のギャップを異なるサイズにすることが可能であることは言うまでもない。
【００９１】
図１〜４に示されている実施形態では、’３８１出願に記載されているように、ワイヤ（２１４）は、保持アイレット（２４０）を介して互いに相互連結されており、それらの幾つかは、ワイヤ支柱（２３２）を介して縁部（２３０）にも連結されている。その結果生じる構造は、図４に示されているように、縁部（２３０）によりその周辺部の少なくとも一部の周りが取り囲まれているワイヤメッシュ支持フレーム（２２０）である。支持フレーム（２２０）は、ワイヤセグメントおよびアイレットを互いに図示されている配置で溶接することまたは成型加工すること等の、様々な方法で形成することができる。図４に示されている実施形態では、支持フレーム（２２０）の部品は、平板を切断（例えば、レーザ切断）、エッチング、または打ち抜いて、ワイヤ（２１４）、アイレット（２４０）、ワイヤ支柱（２３２）、支持ガーダ（２５０）、および縁部（２３０）を、単一の材料シートから互いに一体的に形成される。支持フレーム（２２０）には、合金を含む生体適合性金属等の様々な材料のいずれの材料を使用してもよい。図示されている実施形態では、支持フレーム（２２０）は、自動プログラム可能レーザ切断デバイスを使用して、１枚のチタンまたはチタン合金シートからレーザ切断されている。チタンまたはチタン合金シートは、厚さが０．３〜０．６ｍｍの等級２、４、５、または２３のチタンを含む。図示されている実施形態では、厚さ０．４ｍｍの等級２のチタンが使用されている。あるいは、支持フレーム（２２０）は、ポリカプロラクトン等の生分解性ポリマーから切断、エッチング、打ち抜き、成型、またはそうでなければ形成することができる。
【００９２】
なお、本明細書で使用される場合、用語「アイレット」は、実質的に閉じた周囲を有するが、特定の形状に限定されない開口部を意味する。したがって、アイレット（２４０）は、丸形、正方形、矩形、台形、六角形、涙滴形、卵形、楕円形、または他の好適な形状であってもよい。無論、アイレット（２４０）に加えてまたはアイレット（２４０）の代わりに、他のタイプの取り付け開口部または他の締結ポイントを使用してもよい。各アイレット（２４０）は、プレートのほぼ中央等、全体がプレート（２１２）内部内に位置するように位置決めされる。また、インプラントセクションの変形（つまり、特に種々の湾曲に曲げること）を可能にしつつ十分な強度を提供するために、ワイヤ（２１４）は、隣接プレートの隣接する平行な側面の間を架橋するように、アイレット（２４０）から遠ざかるように延在する。したがって、ワイヤ（２１４）は、ほぼ９０°の角度でプレートの側面と交差する。
【００９３】
支持フレーム（２２０）が１枚の金属シートから製作される場合、ワイヤ（２１４）、支柱（２３２）、アイレット（２４０）、および縁部（２３０）は、一般的に、同じ厚さを有することになる。図示されている例では、支持フレーム部材の厚さは、約０．４ｍｍである。縁部（２３０）は、幅が、０．４〜１．６ｍｍ、または０．６から１．２ｍｍまで、または１．０〜１．２ｍｍである。ワイヤ（２１４）の幅は、０．４〜０．６ｍｍであり、ワイヤ支柱（２３２）の幅は、約０．４５ｍｍであり、アイレット（２４０）の内径は、およそ２．１ｍｍであり、アイレットを形成する金属の幅は、約０．４ｍｍである。
【００９４】
インプラントセクション（２１０）およびインプラント構築体（４００）に更なる成形性を提供するために、ワイヤ（２１４）は、変形帯を含む。変形帯は、概して隣接するプレート間に位置決めされることになるように、概してワイヤ（２１４）の長さの中間に配置され、そのため変形はプレート間で生じ、インプラントセクションの変形時にプレートに亀裂が入ることが防止される。変形帯は、例えば、成型後に隣接するプレート間に位置する幅低減領域（２１５Ａ）を含んでいてもよい。インプラントセクションが縦方向に変形される場合（つまり、図４ではＤＬＯＮＧと図示されているように、長さＬに対して横方向に延在する軸で湾曲される場合）、ワイヤ（２１４Ａ）は、幅低減領域（２１５Ａ）で変形する（つまり、曲がる）ことになり、そのような変形だと、プレートに亀裂を起こす可能性が少なくなる。１つの例として、ワイヤ（２１４Ａ）の幅が０．５〜０．７ｍｍである場合、幅低減領域（２１５Ａ）の幅は、０．３〜０．５ｍｍである。なお、「横方向」は、９０度の角度を意味するという意図ではないことが理解されるべきである。
【００９５】
また、図１〜４に示されている実施形態では、ワイヤ（２１４Ｂ）は、これも成型後に隣接するプレート間に位置するプリーツ領域（２１５Ｂ）を有する。また、プリーツ領域（２１５Ｂ）は、幅が低減されているだけではなく、プレートの亀裂を回避しつつインプラントの更なる変形を可能にする１つまたは複数のプリーツも含む。特に、プリーツ領域（２１５Ｂ）は、インプラントセクションの側方変形（つまり、図２ではＤＬＡＴとして示されているように、幅Ｗに対して横方向に延在する軸でインプラントセクションを曲げること）を容易にする。ワイヤ（２１４Ｂ）は、プレートの亀裂を回避するために、プレート内ではなくプリーツ領域（２１５Ｂ）で変形する（つまり、曲がる）ことになる。加えて、プリーツ領域（２１５Ｂ）により、インプラントセクションを局所的に伸張または圧縮させることが可能になり、患者の欠損と一致させるためのインプラントの成形が更に容易になる。また、縁部（２３０）は、概してその長さに沿って変形させることができるに過ぎないが、支柱（２３２）は、それらの長さに沿って変形可能であることを指摘しておく。支持ガーダ（２５０）は、同様の様式で変形可能である。
【００９６】
患者の欠損形状に対応するインプラント（４００）を提供するために、２つまたはそれ以上のインプラントセクション（１０、１１０、２１０）が必要とされる場合、インプラントセクションは、それらの縁部（２３０）の部分に沿って互いに連結させることができる。そのような連結は、機械的な留め具、生体適合性接着剤、溶接、結束等を使用すること等の、様々な方法のいずれかで達成することができる。図２に示されている実施形態では、インプラントセクションは、重なり合う縁部をスポット溶接することにより互いに連結されている。したがって、隣接するインプラントセクション（１０、１１０、２１０）の側面に沿って延在する縁部を、重なり合う配置に位置決めし、その後、重なり合う縁部の長さに沿って、スポット溶接部（４３１）で互いに溶接する（図２Ａを参照）。
【００９７】
インプラントセクションをＤＬＯＮＧまたはＤＬＡＴのいずれかの方向に変形させる場合、そうした変形は、隣接プレート間の間隔およびプレートの側壁先細化の程度により制約を受けるのみだが、ＤＬＯＮＧおよびＤＬＡＴの両方向に変形させる場合は、プレートを取り外さない限り、制約は非常により大きくなる。これは、球状表面、楕円状表面、および他の同様な湾曲表面が展開可能ではないという事実の結果である。（「展開可能な表面」は、一切の伸張または圧縮を行う必要なく平面に平坦化することができる表面である。）その側面に沿って湾曲縁部（２３０）を有するインプラントセクション（２１０）の１つの利点は、２つのインプラントセクションをそれらの隣接側面に沿って互いに連結させて、種々の地図投影法を使用して地球の湾曲を平坦平面に近似するのと同様に、展開不能な湾曲表面により緊密に一致する形状を提供することができることである。加えて、インプラントセクション（２１０）の縁部（２３０）が互いに連結されている場合、特に重なり合うように連結されている場合、隣接するインプラントセクションの縁部は、インプラントの長さにわたって延在する梁部分を提供する。この梁部分は、患者への移植後は変形（例えば、湾曲形状の平坦化）に対して抵抗性である湾曲インプラント（４００）に更なる構造支持を提供する。同様に、支持ガーダ（２５０）も、インプラント（４００）の中心領域、つまり内側への変形（つまり、平坦化または陥没化）に対して最も脆弱であることが多い区域にわたる更なる構造支持を提供する。
【００９８】
インプラントセクションの幅にわたって延在する更なる支持ガーダ等の、更なる構造支持体を設けてもよいことが理解されるだろう。同様に、インプラントの長さにわたって延在する梁部分は、連結されたインプラントセクションの側面に沿って延在する縁部を隣接させる以外の、種々の代替的な様式で設けられていてもよい。例えば、縁部（２３０）それ自体が、患者に移植される単一のインプラントセクション（２１０）の内側方向変形に対して抵抗性である構造支持を提供する。あるいは、支持ガーダ（２５０）に類似する１つまたは複数の支持ガーダが、長さ方向に、特に支持ガーダが隣接するプレート間にジグザグ配置で位置決めされている配置で設けられていてもよい。
【００９９】
上述のように、インプラントセクション（２１０）は、成型等の様々な方法により形成することができる。図示されている特定の実施形態では、インプラントセクション（２１０）は、支持フレーム（２２０）のワイヤ（２１４）の周りにプレート（２１２）を成型することにより形成される。１つのそのような金型（５１０）が、図５および６に示されている。金型（５１０）は、インプラントセクション（２１０）の形成に使用するように構成されている。金型（５１０）は、シリコーン、テフロン（登録商標）、他のポリマー、または金属等の様々な材料のいずれの材料で形成されていてもよい。金型（５１０）は、モザイクプレート（２１２）を形成するように成形および配置されている複数のキャビティ（５１２）を含む。したがって、キャビティ（５１２）は、図３に示されているようなプレートの先細化側壁に対応する先細化側壁を有する。各キャビティ（５１２）の底部（５１３）は、プレート（２１２）の底部表面に対応する。図７には、成型加工により金型（５１０）を形成するために使用することができるネガ金型（６１０）が示されている。
【０１００】
チャネル（５１４）が、選択された幾つかのキャビティ（５１２）の側壁に設けられている。チャネル（５１４）は、支持フレーム（２２０）のワイヤ（２１４）位置に対応し、インプラントセクション（２１０）におけるワイヤ（２１４）の所望の深さに対応する深さを有する。したがって、チャネル（５１４）は、そこにワイヤ（２１４）を受容する。また、円形カットアウト（５４０）が、カットアウト（５４０）から隣接するキャビティ（５１２）まで延在する細長溝（５４１）と共に、プレート（２１２）により囲まれることのない支持フレーム（２２０）のアイレット（２４０）を収納するように、金型の上部端部および底部端部に設けられている。細長溝（５４１）は、アイレット（２４０）から遠ざかるように延在するワイヤ（２１４）を収納する。同様に、溝（５５０）が、そこに支持ガーダ（２５０）を収納するために、金型（５１０）の幅にわたって延在する。
【０１０１】
成型する前に、縁部（２３０）が金型キャビティ（５１２）の外壁（５１５）の周りに延在し、ワイヤ（２１４）がチャネル（５１４）の底部に位置決めされ、アイレットがカットアウト（５４０）内に位置決めされるように、支持フレーム（２２０）を金型（５１０）内に位置決めする。支持フレーム（２２０）のワイヤ（２１４）の位置決めは、カットアウト（５４０）の深さにより制御される。次に、上述の前駆体セメント組成物（または他の成型可能な組成物）を、注ぐことまたは注入すること等により金型キャビティ（５１２）に挿入する。金型（５１０）は上部プレートを必要としないが、金型（５１０）の他の実施形態は、前駆体組成物を付加する前または付加した後のいずれかで金型を包み込むための上部プレートを含んでいてもよい。金型が、セメント組成物の付加前に密封される場合、金型は、それを介してセメントを金型キャビティ内に注入することができる１つまたは複数の湯口を含むことになる。
【０１０２】
モザイクプレート材料を固化および硬化させた後、インプラントセクション（２１０）を、金型（５１０）から取り出す。その後、必要に応じて、インプラントセクション（２１０）を所望の長さおよび幅に切断する。例えば、図２に最も良好に示されているように、インプラントセクションの上部端部および底部端部にわたって延在する縁部（２３０）の一部は、必要に応じて、インプラントセクションの側面に沿って延在する縁部の一部と共に切断される。加えて、必要に応じて、ワイヤ（２１４）、特に縦方向に延在するワイヤ（２１４Ａ）は、インプラントセクションを所望の長さに切り揃えるために切断してもよい。同様に、必要に応じて、横方向に延在するワイヤ（２１４Ｂ）から選択した幾つかワイヤは、特にインプラントセクションを所望の幅に切り揃えるために切断してもよい。また、アイレット（４０、１４０、２４０）は、インプラントを欠損周囲の骨に固定するために使用される。したがって、ペンチまたは他の好適な道具を使用してプレートを支持フレームから折り取ること等により、インプラントの周辺部に沿ってモザイクプレート材料を取り除き、図２にも示されているように、１つまたは複数のアイレットをインプラント（４００）の周辺部の周りに露出させる。
【０１０３】
図２および図２Ａにも示されていように、成型中に、ある程度のセメント（１７）（図２Ａ）は、プレート（１２、１１２、２１２）内に位置していないワイヤ（２１４）および支柱（２３２）の部分の真上にあるチャネル（５１４）内で固化および硬化されることになる。ワイヤ（２１４）を覆うセメント（１７）の部分は、セメントプレート間の骨伝導性架橋および／または骨誘導性架橋として作用し、ワイヤ（２１４）に沿って隣接するプレート間での新骨形成および／または新骨成長を促進する。
【０１０４】
上述のように、インプラントを特定の欠損に応じて調整する際、モザイクプレートの厚さＴＴ（図３を参照）は、インプラントの密着性を向上させ、および／または美的外観を向上させるために、研磨または他の材料除去プロセスにより、特にインプラントの周辺部に沿って低減させることができる。これも、それに応じて金型をインプラントセクションのモザイクプレート用に構成すること等により、モザイクプレートにわたっておよび／またはインプラントセクション自体にわたって厚さが様々であるようにインプラントセクションのモザイクプレートを形成することにより達成することができる。
【０１０５】
１つの特定の例として、図８Ａには、患者の頭蓋骨の非常に大きな欠損区域一帯に固定されている例示的なモザイクインプラント（７００）の模式的断面図が示されている。この例では、モザイクインプラント（７００）は、それらの隣辺に沿って共に連結されている３つのインプラントセクション（７１０Ａ、７１０Ｂ、７１０Ｃ）を含む。インプラントセクション（７１０Ａ、７１０Ｂ、７１０Ｃ）は、本明細書に上述されているインプラントセクションのいずれのインプラントセクションと同様に形成されていてもよい。図８Ａに示されているように、インプラント領域に隣接する周囲頭蓋骨または他の骨は、著しい湾曲を有しており、厚さが均一なモザイクプレートでは、インプラント（７００）が頭蓋骨の湾曲から著しく逸脱する結果となることが多いだろう（つまり、インプラントの区域の外観が、周囲の骨と比較して平坦となる）。
【０１０６】
そのような平坦な領域を低減または排除するために、モザイクプレートの厚さは、インプラントセクションの幅および／または長さにわたって様々であってもよい。図８Ｂに示されている実施形態では、図８Ａの中央インプラントセクション（７１０Ｂ）の代わりに、インプラントの幅にわたって厚さが先細化されているモザイクプレートを有するインプラントセクション（７１０Ｄ）が使用されている。したがって、インプラントセクションの中央にあるモザイクプレートは、図示されているように一番上にあり、その両側のモザイクプレートは、図示されているように厚さが先細化されている。したがって、インプラントセクション（７１０Ｄ）のモザイクプレートは、インプラントセクションの中央が最も厚く、インプラントセクションの外側が最も薄くなっている。無論、モザイクプレートは、長さ方向に先細化されていてもよく、または患者の欠損周囲の骨の形状とより良好に一致するように、もう１つの他の方向に先細化されていてもよいことが理解されるだろう。
【０１０７】
図９には、図３に示されている線と同じ線に沿って切り取った、インプラント（７１０Ｄ）の断面図が示されている。図９の更なる参照番号は、前述のインプラントセクション実施形態の類似番号と同じ部品を指す（例えば、アイレット（７４０）およびワイヤ（７１４））。したがって、インプラントセクション（７１０Ｄ）の構成は、モザイクプレート（７１２）の先細化された厚さ以外、インプラントセクション（１０、１１０、２１０）と同じである。
【０１０８】
本明細書に記載のインプラントは、単一のインプラントセクションで形成されているかまたは複数のインプラントセクションで形成されているかに関わらず、多種多様な骨欠損の治療にまたは美容目的にも使用することができる。例として、図１０には、患者の頬骨（ほお骨）の修復、回復、または補強に使用するために構成されているインプラント（８１０）が示されている。インプラント（８１０）は、上記に記載のインプラントセクション（１０）と同様に構成されているが、（例えば、支持フレーム（２０）の不要部分を切り取り、不要なモザイクプレート（１２）取り除くかまたは成型しないことにより）適切なサイズに切断および成形されている。同様に、図１６のインプラント（８１１）は、患者の下顎（あご）の修復、回復、または補強に使用するために構成されている。この場合も、インプラント（８１１）は、所望のサイズおよび形状に成形および構成されているインプラントセクション（１０）で形成することができる。無論、本明細書に記載の様式で構築されるインプラントは、患者の様々な他の骨のいずれのために成形および構成されていてもよい。
【０１０９】
図１１〜２４には、例えば、骨、特に患者の頭蓋骨の穿孔穴（穿頭孔とも呼ばれる）の充填に使用するのに好適なインプラント（１５１０）の代替的実施形態が示されている。こうしたインプラントは、以下の文献に記載されているものと類似している：出願人の米国特許出願公開第２０１３／００５３９００号明細書、２０１３年２月２８日公開、発明の名称「Ｉｍｐｌａｎｔｓ  ａｎｄ  Ｍｅｔｈｏｄｓ  ｆｏｒ  Ｕｓｉｎｇ  Ｓｕｃｈ  Ｉｍｐｌａｎｔｓ  ｔｏ  Ｆｉｌｌ  Ｈｏｌｅｓ  ｉｎ  Ｂｏｎｅ  Ｔｉｓｓｕｅ」、国際公開第２０１３／０２７１７５号パンフレット、これも２０１３年２月２８日公開、発明の名称「Ｉｍｐｌａｎｔｓ  ａｎｄ  Ｍｅｔｈｏｄｓ  ｆｏｒ  Ｕｓｉｎｇ  Ｓｕｃｈ  Ｉｍｐｌａｎｔｓ  ｔｏ  Ｆｉｌｌ  Ｈｏｌｅｓ  ｉｎ  Ｂｏｎｅ  Ｔｉｓｓｕｅ」、および’３８１出願。前述の米国刊行物およびＰＣＴ刊行物は、参照により本明細書に組み込まれる。
【０１１０】
上記段落で参照されている刊行物に記載されているように、患者の頭蓋骨の一部を除去することが必要な場合、２つの（またはより典型的には３つの）穿孔穴が開けられる。その後、穿孔穴と共に、頭蓋骨を貫通する連続切断線を形成するノコギリ切断で穿孔穴を互いにつなげて、それにより頭蓋骨の残りから骨弁を取り外す。骨弁を持ち上げて、下層組織への接近を可能にしてもよい。骨弁を置換する場合、それを適所に係留するだけでなく、穿孔穴を少なくとも部分的に充填することが望ましい。インプラント（１５１０）は、そのような目的に適している。
【０１１１】
同様に、例えば、硬膜下血腫を排出するための排膿管の挿入を可能にするために、１つまたは複数の穿孔穴を患者の頭蓋骨に開ける場合もある。排膿管を取り外したら、（１または複数の）穿孔穴を少なくとも部分的に充填することが望ましい。インプラント（１５１０）は、そのような目的にも適している。
【０１１２】
インプラント（１５１０）は、概して、生体適合性プレート（１５１２）およびワイヤ支持フレーム（１５２０）を含む。プレート（１５１２）は、断面が円形で、円柱の形状、特に回転軸（Ｌ’）に対して先細化されている円柱の形状で図示されているが、他のインプラントプレート形状も可能である。例えば、プレート（１５１２）は、卵形、三角形、正方形、矩形、五角形、六角形等の断面を有していてもよい。しかしながら、円柱形状、特に先細化円柱であると、円形の穿孔穴と最も緊密に一致し、プレート（１５１２）が穿孔穴内にぴったりと付勢され、先細化されているため、穿孔穴へのプレートの挿入が容易になるだろう。
したがって、プレート（１５１２）の上部表面（１５１３）は、下部表面（１５１４）よりも広い表面積を有する（図１３を参照）。幾つかの実施形態では、プレート（１５１２）の上部表面（１５１３）の直径は、約０．７〜約１．６ｃｍであり、底部表面（１５１４）の直径は、約０．５〜約１．４ｃｍである。幾つかの実施形態では、プレート（１５１２）は、厚さが約０．３〜約０．５ｃｍである。
【０１１３】
生体適合性プレート（１５１２）および支持フレーム（１５２０）は、上記に記載のモザイクインプラントセクションのワイヤメッシュ支持フレームおよび生体適合性モザイクプレートに関して上述されている種々の方法を使用して、様々な材料のいずれかで製作される。したがって、プレート（１５１２）は、患者への移植に好適な様々な生体適合性材料のいずれかの材料でも製作することができるが、１つの実施形態では、プレート（１５１２）は、水硬性セメント、特に本明細書の上記に記載されているセメント組成物（つまり、主にモネタイト）を含む。同様に、支持フレーム（１５２０）は、種々の金属、ポリマー、または更に２つ以上の金属および／もしくはポリマーの複合材料等の、患者への移植に好適な様々な生体適合性材料のいずれかで製作することができる。非限定的な例としては、ポリカプロラクトン等の生体適合性ポリマー、形状記憶合金（例えば、ニチノール）、チタン、チタン合金（例えば、Ｔｉ−６Ａｌ−４Ｖ）、およびステンレス鋼が挙げられる。図示されている実施形態では、支持フレーム（１５２０）は、金属シート（例えば、チタン合金）から切断された一体構造であり、したがって、最初は概して平面（つまり、平坦）（図１４を参照）であるだけでなく、厚さも均一である。
【０１１４】
本明細書の上記に記載されているモザイクインプラントと同様に、ワイヤ支持フレーム（１５２０）は、互いに連結されている種々のワイヤセグメントを含む。この特定の実施形態では、支持フレーム（１５２０）は、少なくとも部分的にまたは図示されている実施形態では完全にプレート（１５１２）内に位置している中央部分（１５２２）を含む（図１２を参照）。支持フレーム（１５２０）は、中央部分（１５２２）からおよび中央部分（１５２２）の周りで均等に離間されている、プレート（１５１２）の外側周辺部の少なくとも一部の周りに延在する外側縁部（１５２４）を更に含む。言い換えれば、支持フレーム（１５２０）の中央部分（１５２２）およびプレート（１５１２）は、外側縁部（１５２４）内に位置決めされており、外側縁部（１５２４）から均等に離間されている。生体適合性プレート（１５１２）は、中央部分（１５２２）が、プレート（１５１２）の上部表面（１５１３）および底部表面（５１４）の中間に位置するように、中央部分（１５２２）の周りに成型（またはそうでなければ形成）されている（図１１および１３を参照）。しかしながら、中央部分（１５２２）は、プレート（１５１２）を成型する前は、外側縁部（１５２４）の平面の下方に位置するため（図１５を参照）、生体適合性プレート（１５１２）の上部表面（１５１３）は、外側縁部およびアイレットの上部表面（１５２１）と同じ高さにある（またはほとんど同じ高さにある）（図１３を参照）。幾つかの実施形態では、インプラントは、プレートの上部表面（１５１３）が、側面から見て、外側縁部（１５２４）およびアイレット（１５４０）の上部表面（１５２１）の上方に、約１．０ｍｍ以下、または約０．２５〜約０．７５ｍｍ、または約０．５ｍｍだけ延在するように構成されている。その上部表面（１５１３）が外側縁部およびアイレットの上部表面からわずかに上方に延在するようにプレート（１５１２）を位置させることにより、金属支持フレームと軟組織との接触およびその結果生じる摩擦が低減され、インプラントは、頭蓋骨の自然な凸面湾曲に良好に適合することになる。加えて、アイレット（１５４０）は、それを通して挿入されるネジの頭部が、保持アイレットの上部表面（１５２１）の上方に延在することがないように座繰りされていてもよい。
【０１１５】
図示されている実施形態では、支持フレーム（１５２０）の中央部分（１５２２）は、内部リング（または環）（１５２３）を含み、外側縁部（１５２４）も環であるが、図１２に示されている実施形態では、六角形リングである。中央部分（１５２２）の内部リング（１５２３）は、プレート（１５１２）を成型した後、プレートの縦軸（Ｌ’）と一致する縦軸（Ｌ’’）を有する（図１４を参照）。加えて、外側縁部が、環またはリング（例えば、円形、卵形、多角形のリング）を構成する実施形態では、そのようなリング形状の外側縁部の縦軸は、中央部分（１５２２）が外側縁部（１５２４）内の中心に位置するように、中央部分（１５２２）の内部リング（１５２３）の縦軸（Ｌ’’）とも一致することになる。しかしながら、内部リング（１５２３）および外側縁部（１５２４）の各々は、図示されているもの以外の様々な形状のいずれの形状あってもよいことが理解されるだろう。例えば、内部リング（１５２３）および外側縁部（１５２４）は、円形の、卵形の、または多角形の（例えば、六角形、五角形等の）リング形状を構成していてもよい。
【０１１６】
支持フレーム（１５２０）の中央部分（１５２２）は、複数の内部支持部材（１５２６）を含む内部支持構造を更に含む。ワイヤセグメントの形態の内部支持部材（１５２６）は、中央部分（１５２２）の内部リング（１５２３）から放射状に内側に延在し、支持フレーム（１５２０）の軸（Ｌ’’）（プレート（５１２）の回転軸（Ｌ’）と一致する）に位置する中央接合部（１５２８）で互いに接合されている。内部支持部材は、支持フレーム（１５２０）に更なる強度および剛性を提供するが、生体適合性プレートを、中央部分（１５２２）を形成するワイヤセグメントの周りおよびワイヤセグメント間（例えば、内部リング（１５２３）と内部支持ワイヤ（１５２６）との間の空間内）に成型することが依然として可能である。
【０１１７】
外側縁部（１５２４）は、インプラントを穿孔穴周囲の骨に固定するように構成されている複数の締結ポイントを更に含む。図示されている実施形態では、締結ポイントは、複数の保持アイレット（１５４０）を含む。保持アイレット（１５４０）は、骨ネジまたは当業者に公知の他の留め具等の留め具をそれを通して受容するように構成されている。保持アイレットは（１５４０）は、外側縁部（１５２４）の周辺部周囲に配列され、図示されている実施形態では、六角形外側縁部（１５２４）の頂端に位置している。しかしながら、任意の数のアイレット（１５４０）または他の締結ポイントを、六角形外側縁部（１５２４）の頂端の中間、または多角形外側縁部の頂端の幾つかのみ（例えば、１頂端おき）等の、様々な代替位置に設けることができることが理解されるだろう。図１１〜１９の実施形態にも示されているように、保持アイレット（１５４０）は、六角形外側縁部（１５２４）と一体化されており、外側縁部の外部周辺部は、完全な六角形ではない。
【０１１８】
図２０に示されている代替的実施形態では、外側縁部（１６２４）は、上記実施形態と同様に、六角形リングである。しかしながら、この実施形態では、支持フレーム（１６２０）の外側縁部（１６２４）は、六角形の頂端に配列されている隣接するアイレット（１６４０）間に延在し、隣接アイレットを連結する複数のワイヤセグメント（１６２５）を含む。
【０１１９】
図２１および２２には、支持フレーム（１７２０）の更に別の代替的実施形態が示されている。この実施形態では、外側縁部（１７２４）は、環状（つまり、円形）であり、複数の保持アイレット（１７４０）が、外側縁部（１７２４）の円周の周りに配列されている。上記実施形態と同様に、中央部分（１７２２）は、内部リング（１７２３）を含む。
【０１２０】
上述のように、中央部分（１５２２、１６２２、１７２２）は、図示されている実施形態では、外側縁部（１５２４、１６２４、１７２４）の内部内に、そこから均等に離間されて位置決めされている。複数のワイヤアーム（１５３０、１６３０、１７３０）が、外側縁部（１５２４、１６２４、１７２４）と中央部分（１５２２、１６２２、１７２２）の内部リング（１５２３、１６２３、１７２３）との間に延在し、それらを連結する。図示されている実施形態では、中央部分（１５２２、１６２２、１７２２）は、完全に生体適合性プレート（１５１２、１６１２、１７１２）内に位置しているため、ワイヤアーム（１５３０、１６３０、１７３０）は、プレート（１５１２）の外側に延在する。外側縁部と中央部分（１５２２、１６２２、１７２２）との間に延在し、それらを連結する任意の数のワイヤアーム（１５３０、１６３０、１７３０）を設けることができ、図示されている実施形態では、３つそのようなアーム（１５３０、１６３０、１７３０）が使用されている。少なくとも３つのワイヤアーム（１５３０、１６３０、１７３０）を使用することにより、支持フレームの中央部分は、より良好に外側縁部内に支持され、以下で更に記載するように、外側縁部は容易に変形が可能になり、保持アイレットを患者の周囲骨と一致するようにより良好に位置決めすることができる（例えば、図２３および２４を参照）。しかしながら、代替的実施形態では、２つのそのようなワイヤ縁部のみが使用されており、更なる実施形態では、３つを超えるワイヤアーム（１５３０、１６３０、１７３０）が設けられている。
【０１２１】
また、図示されている実施形態では、ワイヤアーム（１５３０、１６３０、１７３０）は、プレート（１５１２）の外側に延在し、隣接するアイレット（１５４０、１６４０、１７４０）の中間で外側縁部（１５２４、１６２４、１７２４）と連結されている。以下で更に記載するように、ならびに図２３および図２４に示されているように、この配置により、外側縁部の屈曲が容易になり、保持アイレットの１つまたは複数を、非屈曲外側縁部の平面およびプレートの上部表面に対してある角度の向きにすることができる。ワイヤアーム（１５３０、１６３０、１７３０）を、隣接するアイレットの中間で外側縁部（１５２４、１６２４、１７２４）と連結するように配置することにより、アイレットのいずれか１つまたは複数を、アイレットの底部表面が周囲骨に対して平坦（またはほとんど平坦）になるような向きにするために、縁部の一部を変形（例えば屈曲）させることができる。言い換えれば、この配置により、各アイレットとワイヤアーム（１５３０、１６３０、１７３０）の１つとの間の変形可能な縁部の範囲が最大化されるため、ワイヤアームも変形させず、プレートを亀裂させる恐れもなく変形させることが可能な程度が最大化される。
【０１２２】
保持アイレットが、生体適合性プレートに亀裂を入れずに周囲骨の湾曲とより良好に一致するような向きになり得るように、外側縁部および／またはワイヤアームの外部部分の変形を更に容易にするために、プレートの外部のワイヤアームの部分におよび／またはそれとアームとの交点に隣接する外側縁部に、変形帯が設けられている。図１１〜１９に示されている実施形態では、支持アーム（１５３０）が縁部と交差する外側縁部（１５２４）に、幅低減領域（１５４５）が設けられている。図１２および１９に最も良好に示されているように、幅低減領域（１５４５）は、支持アーム（１５３０）のいずれかの側面に隣接する外側縁部の内部縁端に沿って設けられているだけでなく、支持アーム（１５３０）が縁部から内側に延在する反対側の縁部の外部縁端に沿っても設けられている。図２１および２２には示されていないが、同様の変形帯が、図２０〜２２の代替的実施形態に設けられている。
【０１２３】
代替的実施形態では、生体適合性プレートの外側に延在するワイヤアームは、保持アイレットのまたは保持アイレットと隣接する外側縁部と交差および連結される。
【０１２４】
上記と同様に、支持フレーム（１５２０、１６２０、１７２０）は、鍛造、鋳込み、成型、押し出し、切断、エッチング、打ち抜き、溶接等の、様々な様式のいずれでも形成することができる。図示されている実施形態では、支持フレーム（１５２０、１６２０、１７２０）は、金属シート（例えば、チタン）から形成されており、金属シートを所定のパターンに打ち抜きまたは（例えば、自動レーザ切断デバイスを使用して）切断して、厚さが一定の一体型支持フレームが生産される。あるいは、支持フレーム（１５２０、１６２０、１７２０）は、ポリカプロラクトン等の生分解性ポリマーから切断、エッチング、打ち抜き、成型、またはそうでなければ形成することができる。更なる別の代替形態では、支持フレーム（１５２０、１６２０、１７２０）、ならびにモザイクプレート（１５１２、１６１２、１７１２）を形成するための金型の製作に使用されるネガ金型は、積層造形技法（別名、３Ｄプリンティング）を使用して製造される。ステレオリソグラフィー、熱溶解積層法（熱溶解樹脂積層法としても知られている）、選択的レーザ焼結法、選択的レーザ溶解法、電子ビーム溶解法、および当業者に知られているまたは今後開発される他の方法を含む、様々な積層造形法のいずれを使用してもよい。
【０１２５】
図示されている実施形態では、支持フレーム（１５２０、１６２０、１７２０）は、チタンを含み、自動プログラム可能レーザ切断デバイスを使用して、チタンまたはチタン合金の平板から切断される。チタンまたはチタン合金シートは、厚さが０．３〜０．６ｍｍの等級２、４、または５のチタンを含む。図示されている実施形態では、厚さ０．４ｍｍの等級２のチタンが使用されている。支持フレーム（１５２０、１６２０、１７２０）をチタンまたは他の材料の平板から切断すれば、製作は容易になるが、支持フレーム（１５２０、１６２０、１７２０）は、図１４に最も良好に示されているように、最初は、平坦な、概して平面の構造を含むことになる。この平面構成の支持フレームを用いれば、中央部分（１５２２、１６２２、１７２２）の周りに生体適合性プレートを成型することができるが、中央部分は、プレートの中心に位置することはなく、および／またはプレートの上部表面は、外側縁部および保持アイレットの上部表面と同じ高さ（またはほぼ同じ高さ）にならないだろう。中央部分（１５２２、１６２２、１７２２）を、外側縁部（１５２４、１６２４、１７２４）の平面の下方に位置決めし（図１５を参照）、したがって、プレートの上部表面を外側縁部およびアイレットの上部表面と同じ高さ（またはほぼ同じ高さ）するために（図１３を参照）、支持フレームの中央部分は、生体適合性プレートを中央部分（１５２２、１６２２、１７２２）の周りに成型する前に、図１５に示されている位置へと下方に付勢される。
【０１２６】
支持フレームの中央部分（１５２２、１６２２、１７２２）を、外側縁部の平面の下方に付勢する能力は、変形可能であるだけでなく、外側縁部（１５２４、１６２４、１７２４）と中央部分（１５２２、１６２２、１７２２）の内部リング（１５２３、１６２３、１７２３）との間に斜めにも延在するワイヤアーム（１５３０、１６３０、１７３０）により促進される。生体適合性プレートを成型する前は、変形可能アーム（１５３０、１６３０、１７３０）は、斜挟角（α’）で外側縁部（１５２４、１６２４、１７２４）から遠ざかるように内側に延在している。図２１および２２に示されている外側縁部（１７２４）等の、円形のまたはそうでなければ湾曲した外側縁部の場合、斜角（α’）は、アーム（１７３０）が外側縁部（１７２４）と交差する箇所における、変形可能アーム（１７３０）と外側縁部（１７２４）の接線（Ｔ）との挟角である。変形可能アーム（１５３０、１６３０、１７３０）は、斜挟角（α’）で外側縁部（１５２４、１６２４、１７２４）から遠ざかるように内側に延在するため、変形可能アーム（１５３０、１６３０、１７３０）は、外側縁部から内部リング（１５２３、１６２３、１７２３）へと垂直に延在する場合よりも長くなる。
【０１２７】
また、インプラントの変形可能アーム（１５３０、１６３０、１７３０）の各々は、外側縁部（１５２４、１６２４、１７２４）に対して同じ方向に傾斜して角度がつけられている。したがって、図１１〜２４に示されている例示的実施形態では、各アーム（１５３０、１６３０、１７３０）と関連外側縁部（１５２４、１６２４、１７２４）との挟角（α’）は、交点の左回り側で９０度未満であり、交点の右回り側の補角（β’）は、９０度を超えている。図示されているインプラント実施形態では、支持フレームの各アーム（１５３０、１６３０、１７３０）と関連外側縁部（１５２４、１６２４、１７２４）との挟角（α’）は同じであり、支持フレームの各アーム（１５３０、１６３０、１７３０）の長さは、同じである。したがって、内部リング（１５２３、１６２３、１７２３）は、外側縁部（１５２４、１６２４、１７２４）内部の中心に位置する。
【０１２８】
内部リング（１５２３、１６２３、１７２３）を傾斜させて角度をつけて外側縁部（１５２４、１６２４、１７２４）と連結させることにより、支持フレームの変形可能アーム（１５３０、１６３０、１７３０）、中央部分（１５２２、１６２２、１７２２）を、外側縁部に対して下方に付勢することができる。図１４〜１９に示されているように、中央部分（１５２２、１６２２、１７２２）は、外側縁部（１５２４、１６２４、１７２４）に対して下方に付勢されているため、アーム（１５３０、１６３０、１７３０）と外側縁部との角度（α’）は、９０度に向かって増加することになり、内部リング（１５２３、１６２３、１７２３）は、縦軸（Ｌ）を右回りに回転することになるが、内部リングは、依然として外側縁部内の中心に位置する。加えて、アーム（１５３０、１６３０、１７３０）は、外側縁部に隣接して（例えば、図１９の１５３１にて）下方へと、およびプレートの外側表面に隣接して（例えば、図１９の１５３２にて）内側に屈曲することになる。また、変形可能アーム（１５３０、１６３０、１７３０）の屈曲は、図示されている実施形態では、ワイヤアームが、外側縁部（１５２４、１６２４、１７２４）ほど幅が広くないという事実により容易になる。中央部分が内側に更に押圧されると、内部リング（１５２３、１６２３、１７２３）は、継続して、右回りに回転し、アーム（１５３０、１６３０、１７３０）と外側縁部との角度（α’’）がおよそ９０度になる（したがって、内部リングを外側縁部に対して押し下げることができる角度が制限される）まで、外側縁部に対して下方へと移動することになる。外側縁部に対する内部リングの下方への移動および回転を容易にするために、支持フレーム（１５２０、１６２０、１７２０）は、外側縁部（１５２４、１６２４、１７２４）の平面構成を維持しつつ、中央部分（１５２２、１６２２、１７２２）の下方への移動および回転、ならびに変形可能アーム（１５３０、１６３０、１７３０）の屈曲を可能にする、適切に設計された取付具で位置決めすることができる。取付具は、例えば、外側縁部を平坦に保持するだけでなく、支持フレームの中央部分を外側縁部に対して下方へと押圧する締め付けデバイスを含んでいてもよい。
【０１２９】
支持フレーム（１５２０、１６２０、１７２０）を、平坦な平面配置（図１４）から、中央部分（１５２２、１６２２、１７２２）が外側縁部の平面の下方に位置する配置（図１５）へと変換させたら、支持フレームを、生体適合性プレート用に適切に形成された金型に位置決めし、その後プレートを、支持フレームの中央部分の周りに成型する。プレートの上部表面は、支持フレームの中央部分をプレートの上部表面および下部表面（１５１３および１５１４）の中間に位置させつつ、支持フレームの外側縁部の上部表面、および／または穿孔穴もしくは他の欠損の周囲の骨と同じ高さ（またはほぼ同じ高さ）にすることができる。加えて、この特徴が提供されても、より複雑な製作技術ではなく、材料（例えば、チタン）の平板を切断すること等により、支持フレーム（１５２０）を平坦な一体構造として製作することが依然として可能である。
【０１３０】
インプラント（１５１０）を穿孔穴または他の骨欠損に固定するために、プレート（１５１２）は、穿孔穴内にアライン可能に位置決めされている。その後、インプラントは、保持アイレット（１５４０）を通して骨に付勢される骨ネジ等により、骨欠損周囲の骨に固定される。その結果、インプラントは、適所に固定され、プレートがしっかりと穿孔穴に位置し、穿孔穴を充填する。
【０１３１】
穿孔穴周囲の骨は、通常、様々な角度で多くの場合は複数の方向に湾曲しているため、通常は、支持フレームの一部を湾曲させて、保持アイレットおよび縁部を、それらの底部表面が骨に対して可能な限り平坦になるような向きにすることが望ましいだろう。これにより、支持フレームと周囲骨との間のあらゆるギャップが最小限に抑えられるだけでなく、アイレットを通して周囲骨に打ち込まれるネジまたは他の留め具が、確実に十分な起重を有することになることも支援される。例えば、図１１および図２１に示されている実施形態の保持アイレットは、外側縁部（１５２４および１７２４）の外側円周から遠ざかるように延在しているため、骨の外側表面に対して同じ高さになるようにアイレットを操作することができ、アイレットが外側縁部と交差する所でアイレットを変形（つまり、屈曲）させて、周囲骨に対するより強固な取り付けを容易にすることができる。
【０１３２】
加えて、特に、周囲骨とより良好に一致するように１つまたは複数のアイレットの位置をより大きく変えることが必要な場合、保持アイレットの１つまたは複数を穿孔穴周囲の骨に対してより良好な向きにすることができるように、外側縁部の一部を屈曲させることができる。例として、図２３および２４には、患者に移植する前に、保持アイレット（１５４０）の２つがプレート（１５１２）の上部表面の平面に対してある角度の向きになるように、縁部（１５２４）の一部が上方に屈曲されているインプラント（１５１０）が示されている。そのような屈曲は、例えば、インプラントが、患者の頭蓋骨の凹形湾曲表面にまたは凹形湾曲表面に直接隣接して位置する穿孔穴（例えば、頬骨に直接隣接する蝶形骨の穿孔穴）に挿入される場合に必要となる場合がある。その結果、骨ネジまたは他の締結デバイスを、プレート（１５１２）の上部表面とほぼ平行な方向で保持アイレットの２つを通過させて打ち込むことができる。無論、外側縁部、およびある程度ではあるがプレート外部のワイヤアーム（１５３０）の一部は、プレート（１５１２）を亀裂させずに、穿孔穴周囲の骨の表面とより良好に一致させるのに必要なだけ、様々な方向（例えば、上方または下方）および様々な角度のいずれで屈曲させてもよい。生体適合性プレートに亀裂を起こさずに、保持アイレットを周囲骨の湾曲とより良好に一致するような向きにすることができるように、外側縁部および／またはワイヤアームの外部部分の変形を更に容易にするため、プレートの外部のワイヤアームの部分におよび／またはそれとアームとの交点に隣接する外側縁部に、変形帯が設けられている。図１１〜１９に示されている実施形態では、支持アーム（１５３０）が縁部と交差する外側縁部（１５２４）に、幅低減領域（１５４５）が設けられている。図１２および１９に最も良好に示されているように、幅低減領域（１５４５）は、支持アーム（１５３０）のいずれかの側面に隣接する外側縁部の内部縁端に沿って設けられているだけでなく、支持アーム（１５３０）が縁部から内側に延在する反対側にある縁部の外部縁端に沿っても設けられている。図２１および２２には示されていないが、同様の変形帯が、図２０〜２２の代替的実施形態に設けられている。
【０１３３】
図２５および２６には、モザイクインプラント（２０１０）の更に別の代替的実施形態が示されている。しかしながら、図１〜４のモザイクインプラントセクション（２１０）とは異なり、インプラント（２０１０）は、患者の特定の頭蓋欠損と一致するように特別に設計されており、１つまたは複数の更なるインプラントセクションと連結させる必要はない。加えて、下記で更に記載されているように、インプラント（２０１０）は、（恐らく、インプラントの患者への適切な固定を容易にする保持アーム（２０３２）以外は）一般的に変形可能でない剛性構造として製作してもよい。この実施形態は、頭蓋欠損での使用に限定されず、２つ以上のインプラント（２０１０）を上記に記載されている様式で連結することを排除しないことが理解されるだろう。また、インプラント（２０１０）は、上から見て全体的に円形形状を有するように示されているが（図２５）、このインプラント実施形態は、特定の患者の骨欠損と正確に一致するように、種々の他の形状に製作してもよい。
【０１３４】
生体適合性モザイクプレートが点線で示されている図２５の上面平面図に最も良好に示されているように、インプラント（２０１０）は、メッシュ支持フレーム（２０２０）の一部として設けられている複数のワイヤ（２０１４）により互いが相互連結されている複数の生体適合性モザイクプレート（２０１２Ａ、２０１２Ｂ、２０１２Ｃ）を含む。各モザイクプレート（２０１２）は、隣接するモザイクプレート（２０１２）間にまたは隣接するモザイクプレート（２０１２）内に延在するワイヤ（２０１４）により、直接隣接する複数のモザイクプレートと連結されている。図２６に最も良好に示されているように、ワイヤ（２０１４）は、それらの幅より大きな厚さ（つまり、高さ）を有する支柱の形態であるため、支持フレーム（２０２０）により高い剛性が提供される。下記で更に考察されるように、各プレート（２０１２Ａ、２０１２Ｂ、２０１２Ｃ）は、ワイヤ（２０１４）により３つ、５つ、または６つの隣接するプレートと連結されている。無論、これは、１つの考え得る実施形態に例示に過ぎず、他の配置が企図される。
【０１３５】
図２５および２６に示されている実施形態では、上記に記載のモザイクインプラント実施形態（つまり、図１〜４）のアイレット（４０、１４０、２４０）の代わりに、支持リング（２０４０Ａ、２０４０Ｂ、２０４０Ｃ）が使用されている。したがって、支持リング（２０４０Ａ、２０４０Ｂ、２０４０Ｃ）は、本質的には拡大された「アイレット」であり、図示されている特定の実施形態では、モザイクプレートの形状に対応する形状を有し、モザイクプレートが成型されると支持リング（２０４０Ａ、２０４０Ｂ、２０４０Ｃ）はその中に位置する。しかしながら、内部支持リング（２０４０Ａ、２０４０Ｂ、２０４０Ｃ）は、（それらの厚さを含めて）サイズが大きく、さらにモザイクプレートの形状と一致するように成形されているため、インプラントの製作中、調整中、および設置中だけでなく、移植後も、アイレット（４０、１４０、２４０）と比較して、より大きな支持力および亀裂耐性をプレート（２０１２）に提供する。同時に、支持リング（２０４０Ａ、２０４０Ｂ、２０４０Ｃ）は、開口内部領域を有するため、中実支持体プレートほど重量およびコストが高くなることはほとんどない。
【０１３６】
代替的実施形態では、支持リング（２０４０Ａ、２０４０Ｂ、２０４０Ｃ）の形状は、円形、卵形、または丸形であってもよいが、図２５および２６に示されている例示的実施形態では、支持リングは、角が丸まっている多角形、特に不規則な四辺形（２０１２Ｃ）、不規則な五角形（２０１２Ｂ）、および中央の六角形（２０１２Ａ）の形態である。この場合も、こうした多角形形状は、１つの特定の実施形態の例示に過ぎない。そのような多角形支持リングは、上述のように、より堅牢な構造を提供する。
【０１３７】
各支持リング（２０４０Ａ、２０４０Ｂ、２０４０Ｃ）は、プレート（２０１２Ａ、２０１２Ｂ、２０１２Ｃ）の内部内に位置するように、支持フレーム（２０２０）に位置決めされている。図示されている実施形態では、各支持リング（２０４０Ａ、２０４０Ｂ、２０４０Ｃ）は、モザイクプレート内の中心に位置し、プレートの上部表面および底部表面からほぼ等距離にあり、プレートの側壁の各々からほぼ等距離にある。図２５に最も良好に示されているように、ワイヤ支柱（２０１４）は、およそ９０°の角度でプレートの側面と交差する。モザイクプレートは、隣接するプレート（２０１２）の対向する側縁端も、特に上部または底部から見て概して互いに平行である。しかしながら、上記に記載のように、幾つかの実施形態では、モザイクプレート（２０１２）の側壁は、例えば、隣接するプレート間の距離を増加させずに、より大きなインプラントの湾曲を可能にするために先細化されている。
【０１３８】
図２５および２６に示されている実施形態では、単一のワイヤ支柱（２０１４）が、隣接するプレートの各連結対間に延在している。ワイヤ支柱（２０１４）は、この場合も支持フレームにメッシュ構造を提供するように、支持リング（２０４０Ａ、２０４０Ｂ、２０４０Ｃ）を介して互いに連結されている。あるいは、支持フレーム（２０２０）は、２つ以上の支柱が、隣接するプレートの連結対の１つまたは複数（または更に全て）の間に延在することになるように構成されていてもよい。
【０１３９】
上記に記載の実施形態と同様に、支持フレーム（２０２０）は、種々の金属、ポリマー、または更に２つ以上の金属および／もしくはポリマーの複合材料等の、患者への移植に好適な様々な生体適合性材料のいずれで製作されていてもよい。非限定的な例としては、ポリカプロラクトン等の生体適合性および／または生分解性ポリマー、ニチノール等の形状記憶合金、チタン、チタン合金（例えば、Ｔｉ−６Ａｌ−４Ｖ）、およびステンレス鋼が挙げられる。図示されている特定の実施形態では、支持フレーム（２０２０）は、チタンまたはチタン合金を含む。
【０１４０】
支持フレーム（２０２０）は、様々な方法で（例えば、成型加工により）製作することができるが、モザイクインプラントのこの患者特異的な実施形態（ならびに図２７〜５２に示されている代替的実施形態）では、支持フレーム（２０２０）は、積層造形技術（３Ｄプリンティングとしても知られている）により製作されている。支持フレームを積層造形すると、支持フレーム（２０２０）および特定の患者の骨欠損と一致するように特別に設計されているそれを用いたインプラント（２０１０）の製作が容易になるため、外科手術時に外科医が（より良好な密着性を達成するために、ある程度の調整が依然として必要とされるまたは求められる場合はあるが）インプラントを大幅に改変および調整する必要性がなくなる。
【０１４１】
図２６の部分的切取図に最も良好に示されているように、支柱（２０１４）は、それらがその間に延在する内部支持リング（２０４０Ａ、２０４０Ｂ、２０４０Ｃ）と共に、モザイクプレート（２０１２）を相互連結させる役目を果たしている。この場合も、インプラント（２０１０）に更なる成形性を提供するために、支柱（２０１４）は変形帯を含む。変形帯は、隣接するプレート間に位置することになるように、概して支柱（２０１４）の長さの中間に位置する。こうした変形帯は、インプラント（２０１０）の成形を容易にするが、インプラントを変形させる際に１つまたは複数のプレートに亀裂が入るリスクを低減する。また、そのような変形帯を使用すると、支持フレーム（２０２０）が金型内に適切に配置および位置決めされることを確実にするために、生体適合性プレート（２０１２）の成型前に支持フレーム（２０２０）を成形することができる。図示されている特定の実施形態では、各支柱（２０１４）は、厚さ低減領域（２０１５）を含む変形帯を含む。厚さ低減領域（２０１５）は、最終インプラント構築体（２０１０）（図２６を参照）の隣接するモザイクプレート間に位置するように位置決めされている支持支柱（２０１４）の底部表面から上方に延在する切込みを含む。言い換えれば、厚さ低減領域（２０１５）は、プレートにより取り囲まれていない。
【０１４２】
図２５および２６に示されているインプラント（２０１０）は、変形帯が支柱（２０１４）の全てには設けられていないように改変されていてもよい。更に別の代替形態では、厚さ低減領域（２０１５）は、支持支柱（２０１４）の上部表面から下方に延在する切込みまたは他の凹部を含むように構成されていてもよい。更なる実施形態では、支柱（２０１４）の１つまたは複数は、（例えば、図３４に示されている実施形態と同様に）支柱（２０１４）の上部表面から下方に延在する切込みまたは他の陥凹部、ならびに支柱（２０１４）の底部表面から上方に延在する切込みまたは他の陥凹部を有するように構成されていてもよい。更に、上記に記載されている種々の他のタイプの変形帯はいずれも、幅低減領域等の厚さ低減領域（２０１５）および／またはプリーツ領域の代わりに、支柱（２０１４）に設けることができる。また、類似の変形帯を、（下記に記載されている）保持アーム（２０３２）に設けてもよい。
【０１４３】
図２５および２６の実施形態では、モザイクプレート内部に位置するアイレットの代わりに、内部支持リング（２０４０Ａ、２０４０Ｂ、２０４０Ｃ）が使用されているが、複数の保持アイレット（２０４２）が、インプラントの周辺部周囲に配列されている。上記に記載の保持アイレット（４０、１４０、２４０）と同様に、保持アイレット（２０４２）は、骨ネジまたは他のタイプの留め具等を使用して、インプラント（２０１０）を患者に固定するために使用される。
【０１４４】
図示されている特定の実施形態では、保持アーム（２０３２）は、各外側支持リング（２０４０Ｃ）の最外側側壁から遠ざかるように延在し、保持アイレット（２０４２）は、各保持アームの外側端部に位置する。図２６に最も良好に示されているように、支持リングと同じ平面で外側支持リング（２０４０Ｃ）から遠ざかるように延在するのはなく、各保持アーム（２０３２）は、支持リングから上方に延在する上方延在セグメント（２０３２Ａ）、および上方延在セグメント（２０３２Ａ）の上部端部から遠ざかるように横方向に延在する横方向延在セグメント（２０３２Ｂ）を含み、保持アイレット（２０４２）は、横方向延在セグメント（２０３２Ｂ）の遠位端部に位置している。言い換えれば、各保持アーム（２０３２）は、それが取り付けられている支持リング（２０４０Ｃ）よりも保持アイレットが高くなるように屈曲されている。この様式では、保持アーム（２０３２）の横方向延在セグメント（２０３２Ｂ）は、プレート（２０１２Ｃ）の上部表面のモザイクプレート（２０１２Ｃ）から遠ざかるように外側に延在する。保持アーム（２０３２）の横方向延在セグメント（２０３２Ｂ）の上部表面は、それがそこから伸長するモザイクプレート（２０１２Ｃ）の上部表面と同じ高さにあってもよく、または図２６に示されているように、モザイクプレート（２０１２Ｃ）の上部表面からわずかに高くなっていてもよい。保持アーム（２０３２）および保持アイレット（２０４２）を最外側モザイクプレートよりも高くすることにより、欠損の周辺部に隣接するモザイクプレート（２０１２Ｃ）の上部表面が、概して周囲骨と同じ高さになるように、インプラント（２０１０）を骨欠損（例えば、頭蓋欠損）に挿入することができる。これにより、インプラントと周囲骨との滑らかな移行、ならびにより正確な密着性がもたらされる。保持アームおよびアイレットは、保持アイレット（２０４２）を通して骨ネジまたは他の留め具を周囲骨に打ち込むことができるように、骨を覆うように延在することになる。
【０１４５】
インプラント（２０１０）の生体適合性モザイクプレート（２０１２Ａ、２０１２Ｂ、２０１２Ｃ）は、本明細書の上記に記載されている様々な再吸収性および／または安定性（つまり、非再吸収性）生体適合性材料のいずれで構成されていてもよい。１つの特定の実施形態では、モザイクプレート（２０１２Ａ、２０１２Ｂ、２０１２Ｃ）は、上記に記載の水硬性セメント組成物（例えば、主にモネタイト）のいずれかを含み、モザイクプレートは、成型加工を使用してメッシュ支持フレーム（２０２０）に成型される。
【０１４６】
図２５および２６から明らかになるように、インプラントのモザイクプレート（２０１２）は、規律正しい列またはグリッドパターンで配置されていない。その代わりに、モザイクプレートは、１つの中央六角形プレート（２０１２Ａ）、中央プレート（２０１２Ａ）の周囲の周りに配置されている五角形プレート（２０１２Ｂ）の中間リング、および五角形プレート（２０１２Ｂ）の中間リングの外周部の周りに配置されている四辺形プレート（２０１２Ｃ）の最外側リングを用いて、亀甲羅パターンのように配置されている。この配置により、インプラントを様々な湾曲表面に一致させる能力を含む、インプラントの大幅な個別化が提供される。例えば、図２６には、概して球状表面または楕円状表面と一致するように屈曲されているインプラント（２０１０）が示されている。インプラント（２０１０）は、積層造形法により湾曲形態の支持フレーム（２０２０）を形成し、その後、対応する個別化製作した金型を使用して、本明細書の上記に記載されているようにプレートを形成すること等により、湾曲形状に個別化製作することができる。インプラント（２０１０）は、特定の患者用に個別化製作されており、例えば、患者の頭蓋骨の湾曲と一致させるために後で（例えば、外科医により）変形させる必要がないため、剛性形態で製作してもよい。
【０１４７】
図２５および２６に示されている特定の実施形態では、中央プレート（２０１２Ａ）は、６つの周囲五角形プレート（２０１２Ｂ）と連結されており、各五角形プレート（２０１２Ｂ）は、２つの隣接する四辺形プレート（２０１２Ｃ）および２つの隣接する五角形プレート（２０１２Ｂ）にも連結されている。最後に、最外側四辺形プレート（２０１２Ｃ）は、各々２つの隣接する四辺形プレート（２０１２Ｃ）と連結されている。したがって、支柱（２０１４）により３つの隣接プレートにのみ連結されている最外側四辺形プレートは別にして、他のプレートは全て、その側面の各々にわたって隣接するプレートと連結されている。もちろん、これは、１つの考え得る実施形態の例示に過ぎず、多角形プレートの更なるリングが１つまたは複数の中央六角形プレート（または他の形状のプレート）の周りに配列されている構成を含む、他の構成が企図される。
【０１４８】
図２７には、モザイクプレート（２１１２Ａ、２１１２Ｂ、２１１２Ｃ）の代替的配置を有するインプラント（２１１０）の模式図が示されている。インプラント（２１１０）は、並列関係にある４つの中央六角形プレート（２１１２Ａ）、４つの中央プレート（２１１２Ａ）の外周部の周りに配置されている六角形および五角形プレート（２１１２Ｂ）からなる中間リング、およびプレート（２１１２Ｂ）の中間リングの外周部の周りに配置されている四辺形プレート（２１１２Ｃ）からなる最外側リングを含む。骨欠損（例えば、頭蓋欠損）の周辺部は、通常は、完全な円形、卵形、または他の幾何学的形状ではないため、インプラントは、不規則な外周形状にする必要があることが多い。図２７に示されている亀甲羅配置では、外周部の形状およびサイズは、例えば、プレートの最外側リングの各四辺形プレート（２１１２Ｃ）の奥行を制御することにより、製作中に容易に個別化することができる（図２７を参照）。図２７のインプラント（２１１０）構築体に使用される支持フレームは、図２５および２６の実施形態の支持フレーム（２０２０）と同じ様式で構成することができる。
【０１４９】
図２８には、モザイクプレート（２２１２Ａ、２２１２Ｂ）の更に別の代替的配置を有するインプラント（２２１０）の模式図が示されている。インプラント（２２１０）は、図１〜４に示されている実施形態の六角形プレートと同様に配置されている六角形プレート（２２１２Ａ）の中央配列を含む。インプラント（２２１０）内の内部支持フレームは、図１〜４に示されているものと同様に構成されていてもよいが、図２８のインプラント（２２１０）には、図２５および２６に示されるもののような支持フレーム構造が使用されている。したがって、支持フレームは、六角形プレート（２２１２Ａ）の各々に内部六角形支持リングを含み、支柱が、隣接するプレート間に延在している。また、図２８では、五角形、四辺形、および／または三角形のプレート（２２１２Ｂ）の外側リングが、中央六角形プレート（２２１２Ａ）の外周部の周りに配置されている。上記と同様に、インプラント（２２１０）の外周部の形状およびサイズは、例えば、プレートの最外側リングの各プレート（２２１２Ｃ）の奥行を制御することにより、およびそれらプレート（２２１２Ｃ）の各々の形状および配置を制御することにより、個別化することができる。
【０１５０】
また、図２４〜２８に示されているインプラント、ならびに本明細書に記載の他のインプラント実施形態は、インプラントの異なる部分が異なる特性を有するように製作することができる。例えば、支持フレームは、例えば、インプラントが骨欠損の外周部とより正確に一致することになるようにインプラントを移植術中に容易に改変させるために、モザイクプレートの外側リングをより可撓性に製作してもよい。対照的に、インプラントの内部領域は、例えば、より多くの負荷を支持するために硬性に製作してもよい。
【０１５１】
可撓性および／または硬性等のインプラント特性の局所的な変更は、様々な方法で達成することができる。例えば、隣接する支持リング（２０４０）を連結する支柱（２０１４）をより厚くまたはより薄く製作して、インプラント特性を変更してもよく、または複数の支柱を、支持フレームのある領域に設けることもできる。同様に、および図２９のインプラント（２３１０）の代替的実施形態に示されているように、ある支柱を完全に省いて、可撓性を増加させてもよい。この実施形態では、四辺形モザイクプレート（２３１２Ｃ）の最外側リングを互いに連結する支柱は存在しない。その結果、インプラント（２３１０）は、その周辺部の周り、特に最外側プレート（２３１２Ｃ）でより可撓性である。例えば、これにより、特定の骨欠損とより良好に一致させるために、最外側プレート（２３１２Ｃ）の１つまたは複数を上方にまたは下方に屈曲させることが可能になる。
【０１５２】
図３０には、支持フレーム（２４２０）の別の代替的実施形態が示されている。支持フレーム（２４２０）は、図２５および２６の支持フレーム（２０２０）と類似しており、例えば、インプラント（２０１０）と同様の形状のインプラントの製作に使用することができる。しかしながら、その周辺部の周りに配置されている４つの保持アイレット（２４４２）のみを有することに加えて、インプラント（２４２０）は、アイレット（２４４２）の保持アーム（２４３２）が伸長する支持リング（２４４０Ｃ）の中心を横切って延在する４つの更なる内部支柱（２４３３）を含む。これら更なる支柱（２４３３）は、インプラントを周囲の骨／組織に取り付ける領域に更なる強度を提供する。
【０１５３】
図３１には、支持フレーム（２５２０）の更に別の代替的実施形態が示されている。支持フレーム（２５２０）は、この場合も、図２５および２６の支持フレーム（２０２０）と類似しており、例えば、インプラント（２０１０）と同様の形状のインプラントの製作に使用することができる。しかしながら、その周辺部の周りに配置されている４つの保持アイレット（２５４２）のみを有することに加えて、図３１の支持フレーム（２５２０）の保持アーム（２５３２）は、支持リング自体の１つから遠ざかるように外側に（および上方に）延在するのではなく、隣接する最外側支持リング（２５４０Ｃ）間に延在する支柱（２５１４）の１つから遠ざかるように外側に（および上方に）延在する。したがって、最終インプラントでは、保持アーム（２５３２）は、（図２６のように）プレートの１つから伸長するのではなく、２つの隣接するモザイクプレート間から伸長することになる。この変更により、保持アーム（２５３２）には、図２６の支持フレーム（２０２０）と比較して、より大きな可撓性およびより広範囲の変形が提供される。
【０１５４】
図３２には、図２９のインプラント（２３１０）に類似するインプラント（２６１０）の更なる代替的実施形態が示されている。このインプラントでは、支柱の代わりに、連結ピン（２６１４）が使用されている。この実施形態の連結ピン（２６１４）は、棒状形体であるが、様々な他の形状のいずれの形状を使用してもよい。連結ピン（２６１４）は、図示されているように隣接する支持リングを連結するだけでなく、それらが取り付けられている各支持リングの内部内に、ある距離だけ延在している。また、支持リングの壁部は、図示されているように、連結ピン（２６１４）に隣接して大型化されている。このため、ならびにそれらがインプラントの隣接するプレート間の距離を架橋するという事実だけでなく、連結ピンのサイズおよび形状のため、連結ピン（２６１４）は、インプラント（２６１０）の形状を調整するために屈曲させることができる。したがって、連結ピン（２６１４）は、インプラント（２６１０）の変形帯として作用する。また、連結ピン（２６１４）は、支持リングの内部内へと少なくとも部分的に延在することにより、モザイクプレートの安定化（つまり、プレートの亀裂を更に防止すること）を支援する。所望の場合、インプラント（２６１０）の外側部分に更なる強度および剛性を追加するため、図２５および２６の実施形態と同様に、隣接する最外側支持リング間にも連結ピン（２６１４）を設けてもよい。
【０１５５】
本明細書に記載の支持フレームは、上記に記載されている様々な技術のいずれかを用いて製造することができるが、幾つかの実施形態では、支持フレームならびにモザイクプレートを形成するための金型の製作に使用するためのネガ金型は、積層造形技術（３Ｄプリンティングと呼ばれる場合もある）を使用して製造される。特に、図２５〜５２に示されているインプラントの支持フレームおよびネガ金型は、各患者および修正しようとする骨欠損用に個別化されているインプラントを提供するように、この様式で製造される。ステレオリソグラフィー、熱溶解積層法（熱溶解樹脂積層法としても知られている）、選択的レーザ焼結法、選択的レーザ溶解法、電子ビーム溶解法、および当業者に知られているまたは今後開発される他の方法を含む、様々な積層造形法のいずれを使用してもよい。選択的レーザ溶解法は、特に支持フレームが、チタン、チタン合金、または他の金属である場合、支持フレームの製作に特に有用である。選択的レーザ焼結法は、ポリアミドのネガ金型の製作に有用であり、その一方で、熱溶解積層法は、例えばＰＬＡまたはＡＢＳからネガ金型を製作するのに特に有用である。
【０１５６】
患者の骨欠損（例えば、頭蓋欠損）と正確に一致するインプラントの積層造形は、以下のステップを含む：
１．患者からコンピュータ断層撮影（ＣＴスキャン）データまたは磁気共鳴（ＭＲＩ）データを得るステップ。
２．治療しようとする骨欠損の解剖学的モデルをデジタル的に生成するステップ。
３．骨欠損に密着するメッシュ支持フレーム設計をデジタル的に生成するステップであり、例えば、欠損周囲の適切な骨または他の組織内に留め具（例えば、骨ネジ）を至適に設置するための保持アイレットを位置させること、ならびに支持リングを、それらリングを覆うように成型されたモザイクプレートが、適切な間隔およびサイズのプレートで骨欠損を至適に充填することになるように位置させることを含むステップ。
４．プレートが支持リングに対して適切に位置することになるようにモザイクプレート配置をデジタル的に生成するステップ。
５．メッシュ支持フレーム設計およびモザイクプレート配置に基づく金型設計をデジタル的に生成するステップ。
６．デジタルメッシュ支持フレーム設計を使用してメッシュ支持フレームを（例えば、チタンまたはチタン合金の選択的レーザ焼結により）「プリンティング」するステップ。
７．デジタル金型設計を使用してネガ金型を（例えば、熱溶解樹脂積層法「プリンタ」を使用して）「プリンティング」するステップ。
８．ネガ金型からケイ素金型を製作するステップ。
９．メッシュ支持フレームを（例えば、上記に記載の様式で）金型に位置決めするステップ。
１０．支持リングがモザイクプレート内に存在するように、（例えば、上記に記載のもの等の水硬性セメント組成物を使用して）モザイクプレートを支持フレーム上に成型するステップ。
上記の積層造形プロセスは、局所的な硬性および／または局所的な可撓性等の種々のインプラント特性を含む各患者用に個別化したインプラントの迅速な製作、ならびに複雑なおよび／または不規則な幾何学的形状（複雑な湾曲表面を含む）を有するインプラントの製作能力を含む、幾つかの利点を提供する。インプラントは、構造的により健全であり（変形に抵抗性であり）、移植後の外観が美的に好ましい。加えて、インプラントは、適切な密着性を達成するための外科医による調整が最小限ですむだろう。
【０１５７】
また、積層造形技術は、より堅牢な内部支持構造（つまり、最終インプラントのモザイクプレートの内部内に位置する支持構造）を有する支持フレームを含む、更により複雑なインプラント設計の製作を可能にする。同時に、プレート破砕のリスクを更に最小限に抑える、こうしたより堅牢な支持構造は、他の方法で製作された支持フレームと比較して、実際により少ない金属（または他の支持フレーム材料）しか使用しないように設計することができる。
【０１５８】
図３３には、六角形支持ケージ（２７４０）を含む２重支持リングがモザイクプレート（２７１２）内に位置する、メッシュ支持フレームの内部支持構造の１つのそのような代替設計が模式的に示されている。支持ケージ（２７４０）は、上記に記載の支持リング（２０４０、２３４０、２４４０、２５４０、２６４０）のいずれのリングの代わりとして使用することができる。連結支柱またはピンおよび保持アイレット等の支持フレームの他の部分は、図３３では省かれている。
【０１５９】
支持ケージ（２７４０）は、様々な配置および幾何学的形状のいずれで設けられていてもよく、図示されているものは、本発明者らにより企図された１つの考え得る実施形態に過ぎない。支持ケージ（２７４０）は、離間関係にある１対の六角形支持リング（２７４０Ａ、２７４０Ｂ）を含む。支持リング（２７４０Ａ、２７４０Ｂ）は、上記に記載の支持リング（例えば、２０４０）と類似しており、支持リング（２７４０Ａ、２７４０Ｂ）のアラインされている頂点間に延在する垂直支持体（２７４４）により、垂直な離間関係に維持されている。対角トラス部材（２７４１）が、支持ケージ（２７４０）の側面に沿って設けられており、ならびに対角線的に延在する内部クロス部材（２７４３）が図示されているように設けられている。したがって、支持ケージ（２７４０）は、六角形角柱の形態である。無論、上記に記載されている実施形態の支持リングの代わりにするために、五角形および四辺形の角柱構造を同じ様式で形成してもよく、支持ケージは、上記に記載の連結支柱および／または連結ピンのいずれによっても互いに連結することができる。
【０１６０】
図３４には、上記に記載の実施形態のいずれの代わりとして使用することができる更に別の支持フレーム（２８２０）の一部が示されている。この場合も、連結支柱またはピンおよび保持アイレット等の支持フレームの他の部分は、図３４では省かれている。
【０１６１】
支持フレーム（２８２０）は、図２５の支持フレーム（２０２０）に類似している。しかしながら、支持フレーム（２８２０）は、個々の支持リング（２０４０）の代わりに、垂直に離間されている対の支持リング（２８４０）を有する。したがって、支持リングの外側区画は、垂直に離間されアラインされている対の支持リング（２８４０Ｃ−１、２８４０Ｃ−２）を含む。同様に、支持リングの中間区画は、垂直に離間されアラインされている対の支持リング（２８４０Ｂ−１、２８４０Ｂ−２）を含み、最内側支持リングは、垂直に離間されアラインされている対の支持リング（２８４０Ａ−１、２８４０Ａ−２）を有する。図３４にも示されているように、個々の支持リング（２８４０）はより薄く、図２５の支持リング（２０４０）ほど幅が広くない。実際、支持フレーム（２８２０）は、図２５の支持フレーム（２０２０）と同じ強度およびプレート亀裂耐性を提供するが、より少ない材料しか使用されていない。これにより、コストが削減され、患者に移植する金属が低減される。移植する金属をより少なくすることは、金属はＭＲＩスキャンを歪めることになるという事実、およびインプラント重量が低減されるという事実を含む多くの理由で望ましい。
【０１６２】
支持リングは（２８４０）は、連結支柱（２８１４）により垂直離間関係に維持される。連結支柱（２８１４）は、図示されているように、各対の支持リング（２８４０）を垂直離間関係で連結および維持するだけでなく、支持リング対を隣接する支持リング対と連結する役割も果たす。連結支柱（２８１４）は、隣接する対の支持リング（２８４０）を、上記に記載されている様々なパターンのいずれかで連結するように配置することができる。また、連結支柱（２８１４）は、Ｈ型であり、プレートを支持フレーム（２８２０）の周りに成型した後に隣接するモザイクプレート間に残る厚さ低減変形帯２８１５を含む。
【０１６３】
図３５〜３８には、本発明の別の実施形態によるメッシュ支持フレーム（２９２０）およびインプラント（２９１０）が示されている。支持フレーム（２９２０）は、この場合も支柱（２９１４）により互いに連結されているハニカム様配置の六角形支持リング（２９４０）を含む。また、縁部（２９３０）は、支持フレーム（２９２０）の全周辺部周囲に延在する。特に積層造形技術を使用して製作される場合、インプラント（２９１０）は、患者の特定の骨欠損と正確に一致するように個別化されるため、縁部（２９３０）は、骨欠損のサイズおよび形状と一致し、移植後に縁部が欠損の縁端から適切な距離だけ離間されるように構成されることになる。したがって、縁部（２９３０）は、多くの場合、図３５に示されているもの等の、不規則な形状を有することになる。また、縁部（２９３０）は、インプラントに構造支持を提供するだけでなく、保持アーム（２９３２）の取り付けポイントも提供する（図３８を参照）。また、図３８に示されているように、縁部（２９３０）は、支持フレームの周辺部の周りに位置する支持リング（２９４０）の最外側壁部としての役割を果たし、最外側モザイクプレートは、縁部（２９３０）の部分を覆うように成型される。
【０１６４】
保持アーム（２９３２）は、縁部（２９３０）の外側周辺部から伸長し、図２６の実施形態の保持アーム（２０３２）と同様に屈曲されている。また、図示されているように、保持アイレット（２９４２）が、保持アームの遠位端部に設けられており、インプラント（２９１０）を患者に固定するために使用される。また、図３７および３８に最も良好に示されているように、保持アイレット（２９４２）は、それを通して挿入されるネジの頭部が、保持アイレット（２９４２）の上部表面の上方に延在することがないように座繰りされていてもよい。
【０１６５】
また、図３５〜３８の実施形態の保持アーム（２９３２）は、縁部（２９３０）から隣接するモザイクプレート間に延在するように位置していることに留意すべきである（図３８を参照）。したがって、保持アーム（２９３２）は、２つの隣接する支持リング（２９４０Ｂ）間のギャップを架橋する縁部の部分で縁部（２９３０）に取り付けられている（図３７を参照）。しかしながら、保持アーム（２９３２）は、図２６に示されている実施形態と同様に、モザイクプレートから伸長するように、縁部（２９３０）に位置していてもよいことが理解されるだろう。
【０１６６】
図３５に示されているように、ハニカム構造は、離間されている支持リングが一連のジグザグ状の列に配置されている、一連の正六角形支持リング（２９４０Ａ）を含む。しかしながら、支柱が隣接する多角形支持リングの側壁の中心間に延在する、図２５に示されている支持体メッシュ構成とは異なり、図３５のハニカム支持フレームの支柱（２９１４）は、隣接する六角形支持リング（２９４０Ａ）の頂点間に延在している。支持フレーム（２９２０）の周辺部の周りにある支持リング以外の各六角形支持リング（２９４０Ａ）は、この様式で６つの隣接する支持リング（２９４０Ａ）と連結されている。その結果、各支持リング（２９４０Ａ）は、６つの六角形型開口領域により取り囲まれている。また、図３７に最も良好に示されているように、この場合は、支持体支柱（２９１４）の底部表面から上方に延在する切込み（２９１５Ａ）および支持支柱（２９１４）の上部表面から下方に延在する切込み（２９１５Ｂ）により提供される厚さ低減領域（２９１５）の形態にある変形帯が、支柱（２９１４）に設けられている。上述のように、変形帯は、最終インプラント構築体（２９１０）の隣接するモザイクプレート間に位置するように位置決めされている（図３６を参照）。
【０１６７】
患者の骨欠損と一致する外側周辺部形状を提供するのに必要な場合なだけ、最外側支持リング（２９４０Ｂ）は、ハニカムメッシュ支持フレーム（２９２０）の周辺部の周りで切り取られる。多くの場合、これは、最外側支持リング（２９４０Ｂ）は六角形ではなく、むしろ切り取られる量に応じて、五角形、四辺形、または三角形であることを意味する。したがって、上述したように、縁部（２９３０）は、支持リング（２９４０Ｂ）の外壁を提供し、また、図３７に最も良好に示されているように、隣接する支持リング（２９４０Ｂ）間のギャップを架橋する。また、図２５〜３４に示されている実施形態と同様に、支持フレーム（２９２０）は、選択的レーザ焼結法等の積層造形技術により製造されるため、最終インプラント（２９１０）の所望の湾曲を有するように製作される。
【０１６８】
上述のように、例えば、図３０のインプラント（２０１０）のモザイクプレートは、支持リングとアラインさせて支持リング（２０４０）の周りに成型されている。つまり、プレートの側面は、支持リングの側壁と概して（またはほぼ）平行である。対照的に、図３５〜３８のインプラント（２９１０）のモザイクプレート（２９１２）は、支持リング（２９４０）に対しておよそ３０°回転している。これは、図３６に最も良好に示されている。また、この配置は、たとえ支持支柱（２９１４）が、隣接する六角形支持リング（２９４０）の頂点間に延在する場合でも、支柱（２９１４）は、最終インプラント構造では、モザイクプレートの側壁から側壁に対してほぼ直交するように延在する（図３８を参照）ことを意味する。
【０１６９】
製作したインプラント（２９１０）の外側周辺部の周りでは、最外側支持リング（２９４０Ｂ）を完全に収容するだけなく、最外側プレートが、患者の骨欠損と正確に一致するようなインプラントの外側周辺部のサイズおよび形状を確実に提供するように、必要に応じて最外側モザイクプレートのサイズおよび形状が調整される。最外側モザイクプレートは、プレートを支持フレームに成型するために使用される金型を適切に設計することにより調整される。図２８に示されている実施形態のように、インプラント（２９１０）の最外側モザイクプレートは、所望のインプラントの特定の形状に応じて、例えば、六角形、五角形、または四辺形であってもよい。幾つかの場合、モザイクプレートは、図２８のある外側プレート（２２１２Ｂ）の切断と同様に、単に適切なサイズおよび形状に切断される。
【０１７０】
しかしながら、幾つかの場合、外側プレート（２９１２Ｂ）が必要に応じて切り取られると、プレートが、縁部（２９３０）およびプレートが成型される支持リング（２９４０Ｂ）により十分に支持されなくなってしまうだろう（縁部の内部に位置決めされるプレート材料が少なすぎるか、または縁部の外部の材料が多すぎる）。そのような場合、プレート（２９１２Ｂ）をあまり切り取らず、内側に隣接するプレートを、縁部（２９３０）を通過させて外側に延長させ、細長いプレートを提供する。これは、この場合も、図２８のある外側プレート（２２１２Ｂ）の延長と同様である。また、図２８の外側プレート（２２１２Ｂ）の幾つかに示されているように、延長されたプレートの側面ならびに２つの隣接する外側プレートの側面は、所望の場合、互いにアラインされていてもよい。幾つかの実施形態では、内側に隣接するプレートは、対応する外側プレート（２９１２Ｂ）を切断すると、そのプレートの５０％を超える部分が支持フレームの縁部（２９３０）の外部に位置することになってしまう場合、インプラント（２９１０）の外周部まで延長されることになる。
【０１７１】
また、幾つかの実施形態では、特に、支持フレームが、チタンまたはチタン合金等の金属で製作されている場合は、露出する支持フレームの量を最小限に抑えることが望ましい。金属の露出は、例えば、不快感を引き起こし、患者の画像診断（例えば、ＭＲＩスキャン）を妨害する場合がある。金属表面の露出を低減するために、そうでなければ露出する金属表面を覆う好適な被覆材料の形成を容易にするために、本明細書に記載されている種々のインプラントの一部を改変してもよい。１つの実施形態では、被覆材料は、モザイクプレートに使用されるものと同じ材料、特にプレートに使用される水硬性セメント組成物を含む。実際、被覆は、被覆が成型加工中に形成されることになるように構成されている金型を用いて、成型加工の一部として施すことができる。
【０１７２】
プレートと同じ材料を含む被覆材料を使用すると、インプラント製作が単純化されるだけでなく、その材料が骨誘導性および／または骨伝導性である場合、支持フレームの露出表面での新たな骨形成および／または骨成長を促進することもできる。上述のように、例えば、支持フレームの一部を覆うように生体適合性プレートを形成するために使用される金型は、同じ材料（例えば、モネタイトセメント）の層が、隣接するプレート間に延在するワイヤ支柱の露出部分等の支持フレームの露出部分を覆うように形成されるように構成することができる。ワイヤ支柱を覆うセメントは、セメントプレート間の骨伝導性架橋および／または骨誘導性架橋として作用し、ワイヤ支柱に沿った隣接プレート間での新たな骨形成および／または骨成長を促進する。
【０１７３】
図３９〜４３には、それをしなければ露出する支持フレームの金属表面に、プレートの生体適合性材料を施すための更なる技術が示されている。これらの場合、保持アイレットおよび保持アームの金属表面は、アイレットを支持フレームに連結する。図３９では、保持アイレット（３０４２）は、骨ネジ（３０４４）を受容する開口部を取り囲むアイレットの上部表面に施されている多孔性金属コーティング（例えば、多孔性チタン）（３０４３）を含む。そのような多孔性チタンコーティングは、例えば、整形外科用インプラント（例えば、股関節インプラント）に広く使用されており、例えば、プラズマスプレイ堆積法により施すことができる。多孔性チタンコーティングは、多孔性金属コーティング（３０４３）を有する区域が、最終インプラントでセメントにより被覆されるように、容易にセメントを受容する。図３９に示されている構成は、本明細書に記載のインプラント構造のいずれの構造と共に使用することができる。
【０１７４】
保持アームが伸長するモザイクプレートの上部表面よりも高くなっている保持アーム（３１３２）を有する、図４０および４１に示されているインプラントの代替的配置では、保持アームは、上部の露出表面積を増加させるように、幅が意図的により広く作られている。また、保持アイレットは、アイレットが、単に骨ネジまたは他の留め具を受容するための保持アームの開口部となるように、保持アーム（３１３２）と一体化されている。保持アーム（３１３２）の上部表面は、図示されているように、保持アームの上部に沿って延在する１対のリブ（３１４５）の他に、多孔性金属コーティング（３１４３）を含む。図４１に示されているように、多孔性金属コーティングは、成型加工中にセメントで被覆される。
【０１７５】
多孔性金属コーティングを使用してセメント被覆層を支持する代わりに、金属支持フレームの露出部分は、セメントまたは他の生体適合性材料、特にモザイクプレートを形成するために使用される材料をそこに受容するための１つまたは複数のキャビティを含んでいてもよい。図４２に示されている保持アーム（３２３２）の代替的実施形態に示されているように、保持アーム（３２３２）の上部表面は、多孔性金属コーティングを施す代わりに、水で硬化可能なセメント（または他の好適な材料）を受容するための１つまたは複数のキャビティを含む。したがって、保持アーム（３２３２）の上部表面は、その周辺部周囲の上方に延在する壁（３２３３）、ならびに保持アームの近位縁端（つまり、アームが支持フレームの残りに取り付けられている所）から保持アイレット（３２４２）におよびその周囲に延在する１対のリブ（３１４５）を有する。したがって、壁（３２３３）およびリブ（３１４５）は、セメント組成物を受容するためのキャビティ（３２４３）を提供する。図４３には、キャビティ（３２４３）がセメント（３１４７）で充填された後の保持アーム（３２３２）が示されている。
【０１７６】
図４４から５２には、モザイクインプラント（３５１０）の更に別の代替的実施形態が示されており、図４６には、患者の頭蓋骨の骨欠損に移植されているインプラント（３５１０）が示されている。インプラント（３５１０）は、上記に記載のインプラント（２９１０）と類似しており、患者の特定の頭蓋欠損と一致するように特別に設計されている。インプラント（３５１０）は、保持アイレット（３５４２）を欠損周囲の骨の表面と同じ高さに位置決めするために（例えば、図４６に示されているように）、移植時にある程度の変形が可能になるように構成されている保持アーム（３５３２）を除いて、概して変形不能な剛性構造として製作されている。この場合も、インプラント（３５１０）は、頭蓋欠損での使用に限定されず、２つ以上のインプラント（２０１０）を、上記に記載されている様式で連結することは排除されない。また、インプラント（２０１０）は、上から見て全体的に円形形状を有するように示されているが（図２５）、このインプラント実施形態は、特定の患者の骨欠損と正確に一致するように、種々の他の形状に製作してもよい。
【０１７７】
図４４および４７に最も良好に示されているように、インプラント（３５１０）は、メッシュ支持フレーム（３５２０）の一部として設けられている複数のワイヤ支柱（３５１４）により互いが相互連結される複数の生体適合性モザイクプレート（３５１２Ａ、３５１２Ｂ）を含む。各モザイクプレート（３５１２Ａ、３５１２Ｂ）は、隣接するモザイクプレート（３５１２Ａ、３５１２Ｂ）間にまたは隣接するモザイクプレート（３５１２Ａ、３５１２Ｂ）内に延在するワイヤ支柱（３５１４）により、直接隣接する複数のモザイクプレートと連結されている。図４７に最も良好に示されているように、ワイヤ支柱（３５１４）は、それらの幅より大きな厚さ（つまり、高さ）を有する支柱の形態であるため、支持フレーム（３５２０）により高い剛性が提供される。下記で更に考察されているように、各プレート（３５１２Ａ、３５１２Ｂ）は、ワイヤ支柱（３５１４）により全ての隣接するプレートと連結されているが、隣接プレートの数は、３〜５の範囲で変動する。
【０１７８】
インプラント（３５１０）は、図１〜２８に示されている実施形態の六角形プレートと同様に配置されている同一の六角形プレート（３５１２Ａ）の中央配列を含む。図示されている特定の実施形態では、中央プレート（３５１２Ａ）は、正六角形（等しい長さの辺を有する六角形）の形態であり、各中央プレート（３５１２Ａ）は、同じ距離だけ各隣接中央プレート（３５１２Ａ）から均等に離間されている。形状が様々な（つまり、同一ではない）プレート（３５１２Ｂ）の外側リングが、インプラント（３５１０）の外周部の周りに配置され、中央プレート（３５１２Ａ）を取り囲んでいる。骨欠損（例えば、頭蓋欠損）の周辺部は、通常は、真の円形、卵形、または他の幾何学的形状ではないため、インプラントは、不規則な外周形状にする必要があることが多い。したがって、上記の実施形態と同様に、インプラント（３５１０）の外周部の形状およびサイズは、特定の患者の特定の欠損と一致させるために、例えば、プレートの最外側リングの各プレート（３５１２Ｂ）の奥行を制御することにより、および／またはそれらプレート（３５１２Ｂ）の各々の形状および配置を制御することにより、個別化することができる。したがって、外側プレート（３５１２Ｂ）の外周部（つまり、図４４のインプラントの外側縁端）は、典型的には、直線でなく、むしろ治療が必要な特定の患者の欠損の輪郭と一致させるために屈曲されている。
【０１７９】
インプラント（３５１０）内の内部支持フレームは、図１および２に示されているものと同様に構成されていてもよいが、図３５〜３８に示されているものと同様の支持フレーム構造が、インプラント（３５１０）に使用されている。したがって、支持フレームは、中央プレート（３５１２Ａ）の各々に内部六角形支持リング（３５４０Ａ）を含み、支柱（３５１４）が、隣接するプレート間に延在している（図４７を参照）。また、図４８に最も良好に示されているように、六角形支持リング（３５４０Ｂ）は、外側プレート（３５１２Ｂ）の大半に設けられており、プレートは、支持フレーム（３５２０）の内部部分が見えるように半透明で示されている。したがって、図２５および２６のインプラントと同様に、図１に示されているモザイクインプラントのアイレット（２４０）の代わりに、支持リング（３５４０）が使用されている。
【０１８０】
支持フレーム（３５２０）は、支柱（３５１４）により互いに連結されている六角形支持リング（３５４０）の改変型ハニカム様配置を含む。また、縁部（３５３０）は、支持フレーム（３５２０）の周辺部の少なくとも一部の周囲に延在する。特に積層造形技術を使用して製作される場合、インプラント（３５１０）は、患者の特定の骨欠損と正確に一致するように個別化されるため、縁部（３５３０）は、骨欠損のサイズおよび形状と一致し、移植後に縁部が欠損の縁端から適切な距離だけ離間されるように構成されることになる。したがって、縁部（３５３０）は、多くの場合、図４７に示されているもの等の不規則な形状を有することになる。また、縁部（３５３０）は、インプラントに構造支持を提供するだけでなく、保持アーム（３５３２）の取り付けポイントも提供する（図３８を参照）。また、図４８に示されているように、縁部（３５３０）は、支持フレームの外側周辺部の周りに位置する支持リング（３５４０）の最外側壁部としての役割を果たし、最外側モザイクプレートは、縁部（３５）の部分を覆うように成型される。
【０１８１】
保持アーム（３５３２）は、縁部（３５３０）の外側周辺部から伸長し、インプラント（３５１０）を患者に固定するための保持アイレット（３５４２）は、保持アームの遠位端部に設けられている。保持アーム（３５３２）は、図２６の実施形態の保持アーム（２０３２）と同様に角度が付けられており、したがって縁部（３５３０）から上方におよび外側に延在する。しかしながら、各保持アーム（３５３２）の特定の構成は、患者の移植部位周囲の骨の向きと一致させるために異なっていてもよい。一般的に、保持アームは、関連するアイレット（３５４２）の下面が、特に、骨ネジまたは他の留め具を十分な骨の厚さに打ち込んで確実に取り付けることができる位置で、欠損周囲の骨の部分の表面と同じ高さになることになるように構成される。また、図４７および４９に最も良好に示されているように、保持アイレット（３５４２）は、それを通して挿入されるネジの頭部が、保持アイレット（３５４２）の上部表面の上方に延在することがないように座繰りされていてもよい。
【０１８２】
保持アーム（３５３２）の各々は、隣接するモザイクプレート間の縁部（３５３０）から、またはモザイクプレートからのいずれかから伸長するように位置していてもよい。図示されている実施形態では、保持アーム（３５３２Ａ）の１つは、２つの隣接する支持リング間のギャップを架橋する縁部の部分で縁部（３５３０）に取り付けられており、他の保持アーム（３５３２）は、図２６に示されている実施形態と同様に、モザイクプレートから伸長するように縁部（３５３０）に位置している。
【０１８３】
図５０には、支持フレーム（３５２０）が示されており、保持アームおよび保持アイレットは、わかりやすくするため省かれている。改変型ハニカム構造の支持フレーム（３５２０）は、離間されている支持リングが一連のジグザグ状の列に配置されている、一連の不規則な六角形支持リング（３５４０Ａ）を含む。図３５に示されている実施形態の正六角形支持リング（２９４０Ａ）（等辺および等角）とは異なり、支持リング（３５４０Ａ）は、不規則な六角形形状（下記で更に説明するように、内部の角が丸まっている）を有する。しかしながら、それらは不規則な六角形形状であるが、支持リング（３５４０Ａ）は、平行多辺形である。平行多辺形は、多角形であり、複数のそのような多角形を、それらの辺に沿って共に密着させると（タイルのように張り合わせると）、平面を満たすことができるような形状である。したがって、六角形支持リング（３５４０Ａ）の対辺は平行であり、同じ長さを有する。図示されている特定の実施形態では、各六角形支持リング（３５４０Ａ）の４つの長辺は、同じ長さを有する。
【０１８４】
支柱が隣接する多角形支持リングの側壁の中心間に延在する図２５に示されている支持体メッシュ構成とは異なり、支持フレーム（３５２０）のワイヤ支柱（３５１４）は、隣接する六角形支持リング（３５４０Ａ）の頂点間に延在している。支持フレーム（３５２０）の周辺部の周りの支持リング以外の各六角形支持リング（３５４０Ａ）は、１対のワイヤ支柱（３５１４）により、４つの隣接する支持リング（３５４０Ａ）と連結されている（合計で８つのワイヤ支柱が、各支持リングから伸長している）。六角形支持リング（３５４０Ａ）が最も小さい挟角（例えば、９０度未満）を有する２つの頂点（３５４１）では、２つのワイヤ支柱（３５１４）が１対の隣接支持リングに伸長している。他の４つの頂点では、単一のワイヤ支柱のみが、隣接する支持リングに伸長している。しかしながら、どの行の支持リング（３５４０Ａ）も、支柱（３５１４）により互いに直接連結されていない。代わりに、各支持リング（３５４０Ａ）は、２つの隣接する行の１対の隣接支持リングと連結されている。その結果、図５１の拡大図に最も良好に示されているように、各支持リング（２９４０Ａ）は、交互に連続する４つの六角形状開口領域および４つの矩形状開口部領域に取り囲まれている。
【０１８５】
図５１の拡大図に最も良好に示されているように、ワイヤメッシュの頂点の各々の内部の角は、鋭い角度を有するのではなく丸くなっており、支持リングおよびワイヤ支柱を形成するワイヤセグメントが交差する頂点を丸めると、支持フレーム（３５２０）に更なる強度および剛性が追加される。
【０１８６】
メッシュ支持フレーム（３５２０）は、１つの実施形態では、選択的レーザ溶解法（「ＳＬＭ」）等の積層造形法を使用して製造される。しかしながら、ＳＬＭでは、特に構築プレートに対して４５度未満の角度で伸長する構造特徴の設計が求められる場合、複雑な設計は、複雑な支持構造を必要とすることが多い。しかしながら、ワイヤ支柱が不規則な六角形支持リング（３５４０）の隣接する頂点間に延在する図５０および５１に示されている様式で、支持リング（３５４０）を配置することにより、ＳＬＭでの製造中、ワイヤメッシュ構造は自立する。ワイヤメッシュがこのように自立する態様は、メッシュ（支持リングおよびワイヤ支柱）のワイヤセグメントが全て、構築プレートに対して４５度を超える角度で斜めになるように、図５１に示されている反復メッシュ構成をＳＬＭ構築プレートに形成することができるという事実によりもたらされる。例えば、ワイヤ支柱（３５１４）を形成するワイヤセグメントの全て、または六角形支持リング（３５４０Ａ）の側面は、基部（Ｂ）に対して約５０〜５５度の角度（γ’）または約９０度の角度（γ’’）で、仮想平面基部（Ｂ）（つまり、ＳＬＭ構築プレートの平面）に対して斜めになっている（つまり、それらは全て４５度を超えている）。しかしながら、支持フレームのワイヤメッシュ構造は、図５１に示されているものとは異なるが、依然として自立する構成を有していてもよいことが理解されるだろう。支持フレームのワイヤメッシュ支持構造が自立するという特徴は、ＳＬＭ構築プレートに「プリント」中のメッシュには、ＳＬＭ構築中の支持構造が必要ではないことを意味する（しかし、支持フレームがＳＬＭまたは同様の積層造形法により一体構造として製作される場合、外側縁部には、一般的に支持構造が必要となるだろう）。
【０１８７】
図５１に示されている反復メッシュ構造は、特定の欠損の形状をあわせた外側縁部（３５３０）により囲まれる支持フレーム（３５２０）全体にわたって延在する。この場合も、この配置により、インプラントを様々な湾曲表面に一致させる能力を含む、インプラントの大幅な個別化が提供される。例えば、図４９には、（図４６にも示されているように）患者の頭蓋骨の部分と一致するように湾曲されているインプラント（３５１０）が示されている。また、メッシュ構造が反復しているという特徴は、モザイクプレートが、インプラント全体にわたって、全ての側面に沿って、互いに均等に離間されているインプラント（３５１０）の製作を容易にする。これにより、隣接するモザイクプレート間の新たな骨の均等な成長が促進されるだけでなく、インプラントの強度および剛性も追加される。加えて、上記の実施形態と同様に、インプラント（３５１０）は、特定の患者用に個別化製作されており、骨欠損および周囲の骨表面と正確に一致する剛性形態に製作することができる。
【０１８８】
患者の骨欠損と一致する外側周辺部形状を提供するのに必要な場合なだけ、最外側支持リング（３５４０Ｂ）は、メッシュ支持フレーム（３５２０）の周辺部の周りで切り取られる。多くの場合、これは、最外側支持リング（３５４０Ｂ）が六角形ではなく、むしろ切り取られる量に応じて、五角形、四辺形、または三角形であることを意味する（特定の骨欠損の形状と一致させるのに必要な場合なだけ、外側縁端は屈曲されている）。したがって、上述したように、縁部（３５３０）は、支持リング（３５４０Ｂ）の外壁を提供し、また、図４７に最も良好に示されているように、隣接する支持リング（３５４０Ｂ）間のギャップを架橋する。また、図２５〜３４に示されている実施形態と同様に、支持フレーム（３５２０）は、最終インプラント（３５１０）の所望の湾曲を有するように製作され、選択的レーザ溶解法等の積層造形技術により製造される。
【０１８９】
上記に記載の実施形態と同様に、モザイクプレート（３５１２）は、支持リング（３５４０）の周りに成型される。この場合、中央プレート（３５１２Ａ）は、（上部または底部から見て）正六角形であり、他の実施形態に関して上述されているように、側壁が先細化されている。中央プレート（３５１２Ａ）は、支持リング（３５４０Ａ）の周りに、部分的にそれらとアラインされて成型されている。つまり、プレートの２つの辺は、不規則な六角形支持リング（３５４０Ａ）の短辺と概して（またはほぼ）平行である。しかしながら、残りの辺は、支持リング（３５４０Ａ）が不規則な六角形形状であるため、支持リング（３５４０Ａ）の辺と平行ではない。したがって、ワイヤ支柱（３５１４）は、これらプレートの頂点でのみ、隣接する中央モザイクプレート（３５１２Ａ）間に延在する。図５２に最も良好に示されているように、２つの頂点（３５４１）の部分は、六角形支持リング（３５４０Ａ）が最も小さな挟角を有する、プレート（３５１２Ａ）の角に位置する。したがって、狭角頂点（３５４１）の各支持リング（３５４０Ａ）の内部縁端は、完全にプレート（３５１２Ａ）内に位置するが、頂点（３５４１）の最外側部分、特に狭角頂点（３５４１）の交点、および隣接する支持リングに伸長する１対の支柱（３５１４）は、わずかにプレート（３５１２Ａ）の外部に位置する。（言い換えれば、頂点（３５４１）を形成する各「Ｘ」の中心の部分は、わずかにプレートの外部に位置する。）この配置は、インプラント（３５１０）に更なる剛性を提供する。
【０１９０】
製作したインプラント（３５１０）の外側周辺部の周りでは、最外側支持リング（３５４０Ｂ）を完全に収容するだけなく、最外側プレートが、患者の骨欠損と正確に一致するようなインプラントの外側周辺部のサイズおよび形状を確実に提供するために、必要に応じて最外側モザイクプレートのサイズおよび形状が調整される。最外側モザイクプレートは、プレートを支持フレームに成型するために使用される金型を適切に設計することにより調整される。図２８に示されている実施形態のように、インプラント（３５１０）の最外側モザイクプレートは、所望のインプラントの特定の形状に応じて、例えば、六角形、五角形、または四辺形であってもよい（特定の骨欠損と一致させるために必要なだけ、１つの側が湾曲されている）。図２７に示されているインプラント（２１１０）のように、例えば、外周部の形状およびサイズは、プレート（３５１２Ａ、３５１２Ｂ）の隣辺間を依然として同じ距離で維持しつつ、各外側プレート（３５１２Ｂ）の奥行を制御することにより、製作中に容易に個別化することができる。
【０１９１】
加えて、図３５〜３８に示されている実施形態のように、幾つかの場合、外側プレート（３５１２Ｂ）を特定の欠損と一致させるのに必要な切断は、その周りにプレートが成型される縁部（３５３０）および支持リング（３５４０Ｂ）により十分に支持されていないプレートをもたらすことになる。こうした場合では、プレート（３５１２Ｂ）はあまり切り取らず、内側に隣接するプレートおよび／または隣接する外側プレート（３５１２Ｂ）を、細長いプレートおよび／または幅広のプレート（例えば、図４４に示されているプレート（３５１２Ｂ’））を提供するように延長されている。
【０１９２】
上記に記載の実施形態と同様に、内部支持リング（３５４０Ａ、３５４０Ｂ）は、（それらの厚さを含めて）サイズが大きく、ならびにモザイクプレートの形状と一致するように成形されているため、インプラントの製作中、調整中、および設置中だけでなく、移植後も、アイレット（２４０）と比較して、より大きな支持力および亀裂耐性をプレート（３５１２）に提供する。同時に、支持リング（３５４０Ａ、３５４０Ｂ）は、開口内部領域を有するため、中実支持体プレートほど重量およびコストが高くなることはほとんどない。
【０１９３】
インプラント（３５１０）の生体適合性モザイクプレート（３５１２Ａ、３５１２Ｂ）は、本明細書の上記に記載されている様々な再吸収性および／または安定性（つまり、非再吸収性）生体適合性材料のいずれで構成されていてもよい。１つの特定の実施形態では、モザイクプレート（３５１２Ａ、３５１２Ｂ）は、上記に記載の水硬性セメント組成物（例えば、主にモネタイト）のいずれかを含み、モザイクプレートは、成型加工を使用してメッシュ支持フレーム（３５２０）に成型されている。
【０１９４】
上記に記載の実施形態のように、インプラント（３５１０）は、成型加工により形成することができる。プレート（３５１２）は、支持リング（３５４０）の周りならびに支持フレーム（３５２０）のワイヤ（３５１４）および縁部（３５３０）の一部の周りに成型される。図５３および５４には、インプラント（３５１０）と同様のインプラントを製作するために使用される１つのそのような金型（３６１０）が示されている。金型（３６１０）は、上記に記載のプレート（３５１２）等のモザイクプレートを形成するように成形および配置されている複数のキャビティ（３６１２）を含む。したがって、キャビティ（３６１２）は、プレートの先細化する側壁部に対応した先細化側壁部を有する。各キャビティ（３６１２）の底部（３６１３）は、プレートの底部表面に対応する。
【０１９５】
チャネル（３６１４）が、選択された幾つかのキャビティ（３６１２）の側壁に設けられている。チャネル（３６１４）は、支持フレーム（３５２０）のワイヤ（３５１４）の位置に対応し、インプラント（３５１０）のワイヤ（３５１４）の所望の深さに対応する深さ、またはわずかにより深い深さを有する。したがって、チャネル（３６１４）は、そこにワイヤ（３５１４）を受容する。
【０１９６】
幾つかのデバイスおよびそれらの部品が、上記で詳細に考察されているが、部品、特徴、構成、および考察されているデバイスの使用方法は、上記で提供されている状況に限定されないことが理解されるべきである。特に、こうしたデバイスの１つの状況で記載されている部品、特徴、構成、および使用方法は、他のデバイスのいずれに組み込まれていてもよい。更に、下記で提供される更なる記載に限定されないが、追加のおよび代わりの好適な部品、特徴、構成、およびデバイスの使用方法、ならびに本明細書の教示を組み合わせることができるおよび置き換えることができる種々の様式は、当業者であれば、本明細書の教示に照らして明白であろう。
【０１９７】
本開示には種々の形態が図示および記述されているが、当業者であれば、本発明の範囲から逸脱せずに適切な改変をなすことにより、本明細書に記載の方法およびシステムの更なる応用を達成することができる。そのような考え得る改変の幾つかについては言及したが、当業者であれば、他のものも明白であろう。例えば、上記で考察した例、形態、幾何学的形状、材料、寸法、比率、およびステップ等は、例示であり、必要条件ではない。
【図１】
0006600680.tif 000002
【図２】
0006600680.tif 000003
【図２Ａ】
0006600680.tif 000004
【図３】
0006600680.tif 000005
【図４】
0006600680.tif 000006
【図５】
0006600680.tif 000007
【図６】
0006600680.tif 000008
【図７】
0006600680.tif 000009
【図８Ａ】
0006600680.tif 000010
【図８Ｂ】
0006600680.tif 000011
【図９】
0006600680.tif 000012
【図１０】
0006600680.tif 000013
【図１１】
0006600680.tif 000014
【図１２】
0006600680.tif 000015
【図１３】
0006600680.tif 000016
【図１４】
0006600680.tif 000017
【図１５】
0006600680.tif 000018
【図１６】
0006600680.tif 000019
【図１７】
0006600680.tif 000020
【図１８】
0006600680.tif 000021
【図１９】
0006600680.tif 000022
【図２０】
0006600680.tif 000023
【図２１】
0006600680.tif 000024
【図２２】
0006600680.tif 000025
【図２３】
0006600680.tif 000026
【図２４】
0006600680.tif 000027
【図２５】
0006600680.tif 000028
【図２６】
0006600680.tif 000029
【図２７】
0006600680.tif 000030
【図２８】
0006600680.tif 000031
【図２９】
0006600680.tif 000032
【図３０】
0006600680.tif 000033
【図３１】
0006600680.tif 000034
【図３２】
0006600680.tif 000035
【図３３】
0006600680.tif 000036
【図３４】
0006600680.tif 000037
【図３５】
0006600680.tif 000038
【図３６】
0006600680.tif 000039
【図３７】
0006600680.tif 000040
【図３８】
0006600680.tif 000041
【図３９】
0006600680.tif 000042
【図４０】
0006600680.tif 000043
【図４１】
0006600680.tif 000044
【図４２】
0006600680.tif 000045
【図４３】
0006600680.tif 000046
【図４４】
0006600680.tif 000047
【図４５】
0006600680.tif 000048
【図４６】
0006600680.tif 000049
【図４７】
0006600680.tif 000050
【図４８】
0006600680.tif 000051
【図４９】
0006600680.tif 000052
【図５０】
0006600680.tif 000053
【図５１】
0006600680.tif 000054
【図５２】
0006600680.tif 000055
【図５３】
0006600680.tif 000056
【図５４】
0006600680.tif 000057